(57)【要約】  直交周波数分割多重（ＯＦＤＭ）又は直交周波数分割多元接続（ＯＦＤＭＡ）フレームにおいて固定されたデータ領域を割り当てる、修正する、及び終了させる（“スティッキー領域の割り当て”と呼ばれる）ための方法及び装置が提供される。スティッキー領域の割り当てを用いる場合において、スティッキー領域は、基地局とユーザ端末との間における接続の確立中に交渉することができ、及び単一のＭＡＰ情報要素（ＭＡＰ  ＩＥ）が、スティッキー領域の位置をユーザ端末に知らせることができる。これで、ユーザ端末は、後続するフレームにおいて各データバーストの位置を特定するためのＭＡＰ  ＩＥを必要とせずに複数のＯＦＤＭ／ＯＦＤＭＡフレームにおいてある接続のためのバーストを受信／送信することができる。従って、制御オーバーヘッド、例えば、ダウンリンク（ＤＬ）及びアップリンク（ＵＬ）ＭＡＰメッセージ、の大きさを小さくすることができる。低減された制御オーバーヘッドは、データトラフィックのために利用可能なフレームリソースを増大させることができ、それにより、ＯＦＤＭ／ＯＦＤＭＡ無線システムの全体的な効率及び性能を向上させることができる。
2011524695.tif 000002
【特許請求の範囲】
【請求項１】
スティッキー領域の割り当てのための能力を交渉することと、
前記能力を交渉することに応答してスティッキーイネーブルド接続を確立することと、
前記スティッキーイネーブルド接続のための割り当てられたデータ領域に同意する又は前記スティッキーイネーブルド接続のための割り当てられたデータ領域を要求することと、
第１の直交周波数分割多重（ＯＦＤＭ）又は直交周波数分割多元接続（ＯＦＤＭＡ）フレームに基づく第１の信号を受信することと、
第１のＭＡＰ情報要素（ＩＥ）により前記第１のフレームにおいて前記割り当てられたデータ領域の位置を特定することと、
第２のＯＦＤＭ又はＯＦＤＭＡフレームに基づく第２の信号を受信することと、ここで前記第２の信号は、前記第１の信号よりも後に受信される、
第２のＭＡＰ  ＩＥを用いずに前記第１のＭＡＰ  ＩＥにより前記第２のフレームにおいて前記割り当てられたデータ領域の位置を特定すること、
を備える、
スティッキー領域の割り当てのための方法。
【請求項２】
スティッキー領域の割り当てのための前記能力を交渉することは、ネットワークエントリ（ＮＥ）手順中に生じる請求項１に記載の方法。
【請求項３】
前記能力を交渉することは、
スティッキー領域の割り当てのための前記能力に関する加入者局基本的能力要求（ＳＢＣ−ＲＥＱ）を送信することと、
スティッキー領域の割り当てのための前記能力を確認する加入者局基本的能力応答（ＳＢＣ−ＲＳＰ）を受信すること、
を備える請求項２に記載の方法。
【請求項４】
前記スティッキーイネーブルド接続のための前記割り当てられたデータ領域に同意する又は前記スティッキーイネーブルド接続のための割り当てられたデータ領域を要求することは、サービスフローを確立することを備える請求項１に記載の方法。
【請求項５】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項４に記載の方法。
【請求項６】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項４に記載の方法。
【請求項７】
第３のＯＦＤＭ又はＯＦＤＭＡフレームに基づく第３の信号を受信することと、ここで前記第３の信号は、前記第２の信号よりも後に受信される、
第３のＭＡＰ  ＩＥにより前記第３のフレームにおいて更新された割り当てられたデータ領域の位置を特定すること、ここで前記更新された割り当てられたデータ領域は、前記第１のＭＡＰ  ＩＥにより位置が特定された前記割り当てられたデータ領域と異なる位置、継続時間、帯域幅、又は変調のうちの少なくとも１つを有する、
をさらに備える請求項１に記載の方法。
【請求項８】
前記第３のＭＡＰ  ＩＥは、前記第３のフレーム内にある請求項７に記載の方法。
【請求項９】
ＯＦＤＭ／ＯＦＤＭＡシンボルの数のためのフィールド内においてゼロを有する第３のＭＡＰ  ＩＥを有する第３のＯＦＤＭ又はＯＦＤＭＡフレームに基づく第３の信号を受信することと、ここで前記第３の信号は、前記第２の信号よりも後に受信される、
前記スティッキー領域の割り当てを終了させること、
をさらに備える請求項１に記載の方法。
【請求項１０】
前記スティッキーイネーブルド接続は、ダウンリンク（ＤＬ）接続であり、前記割り当てられたデータ領域は、ＤＬデータ領域であり、前記第１のＭＡＰ  ＩＥは、ＤＬ−ＭＡＰ  ＩＥである請求項１に記載の方法。
【請求項１１】
前記スティッキーイネーブルド接続は、アップリンク（ＵＬ）接続であり、前記割り当てられたデータ領域は、ＵＬデータ領域であり、前記第１のＭＡＰ  ＩＥは、ＵＬ−ＭＡＰ  ＩＥである請求項１に記載の方法。
【請求項１２】
前記第１のＭＡＰ  ＩＥは、前記第１のフレーム内にある請求項１に記載の方法。
【請求項１３】
前記第１のＭＡＰ  ＩＥを含む第３のＯＦＤＭ又はＯＦＤＭＡフレームに基づく第３の信号を受信することをさらに備え、前記第３の信号は、前記第１の信号の前に受信される請求項１に記載の方法。
【請求項１４】
命令が格納されているコンピュータによって読み取り可能な媒体を備えるスティッキー領域の割り当てのためのコンピュータプログラム装置であって、前記命令は、１つ以上のプロセッサによって実行可能であり、及び前記命令は、
スティッキー領域の割り当てのための能力を交渉するための命令と、
前記能力を交渉することに応答してスティッキーイネーブルド接続を確立するための命令と、
前記スティッキーイネーブルド接続のための割り当てられたデータ領域に同意する又は前記スティッキーイネーブルド接続のための割り当てられたデータ領域を要求するための命令と、
第１の直交周波数分割多重（ＯＦＤＭ）又は直交周波数分割多元接続（ＯＦＤＭＡ）フレームに基づく第１の信号を受信するための命令と、
第１のＭＡＰ情報要素（ＩＥ）により前記第１のフレームにおいて前記割り当てられたデータ領域の位置を特定するための命令と、
第２のＯＦＤＭ又はＯＦＤＭＡフレームに基づく第２の信号を受信するための命令と、ここで前記第２の信号は、前記第１の信号よりも後に受信される、
第２のＭＡＰ  ＩＥを用いずに前記第１のＭＡＰ  ＩＥにより前記第２のフレームにおいて前記割り当てられたデータ領域の位置を特定するための命令と、
を備える、コンピュータプログラム装置。
【請求項１５】
前記能力を交渉することは、
スティッキー領域の割り当てのための前記能力に関する加入者局基本的能力要求（ＳＢＣ−ＲＥＱ）を送信することと、
スティッキー領域の割り当てのための前記能力を確認する加入者局基本的能力応答（ＳＢＣ−ＲＳＰ）を受信すること、
を備える請求項１４に記載のコンピュータプログラム装置。
【請求項１６】
前記スティッキーイネーブルド接続のための前記割り当てられたデータ領域に同意する又は前記スティッキーイネーブルド接続のための割り当てられたデータ領域を要求することは、サービスフローを確立することを備える請求項１４に記載のコンピュータプログラム装置。
【請求項１７】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項１６に記載のコンピュータプログラム装置。
【請求項１８】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項１６に記載のコンピュータプログラム装置。
【請求項１９】
第３のＯＦＤＭ又はＯＦＤＭＡフレームに基づく第３の信号を受信するための命令と、ここで前記第３の信号は、前記第２の信号よりも後に受信される、
第３のＭＡＰ  ＩＥにより前記第３のフレームにおいて更新された割り当てられたデータ領域の位置を特定するための命令と、ここで前記更新された割り当てられたデータ領域は、前記第１のＭＡＰ  ＩＥにより位置が特定された前記割り当てられたデータ領域と異なる位置、継続時間、帯域幅、又は変調のうちの少なくとも１つを有する、
をさらに備える請求項１４に記載の命令。
【請求項２０】
ＯＦＤＭ／ＯＦＤＭＡシンボルの数のためのフィールド内においてゼロを有する第３のＭＡＰ  ＩＥを有する第３のＯＦＤＭ又はＯＦＤＭＡフレームに基づく第３の信号を受信するための命令と、前記第３の信号は、前記第２の信号よりも後に受信される、
前記スティッキー領域の割り当てを終了させるための命令と、
をさらに備える請求項１４に記載の命令。
【請求項２１】
前記スティッキーイネーブルド接続は、ダウンリンク（ＤＬ）接続であり、前記割り当てられたデータ領域は、ＤＬデータ領域であり、前記第１のＭＡＰ  ＩＥは、ＤＬ−ＭＡＰ  ＩＥである請求項１４に記載のコンピュータプログラム装置。
【請求項２２】
前記スティッキーイネーブルド接続は、アップリンク（ＵＬ）接続であり、前記割り当てられたデータ領域は、ＵＬデータ領域であり、前記第１のＭＡＰ  ＩＥは、ＵＬ−ＭＡＰ  ＩＥである請求項１４に記載のコンピュータプログラム装置。
【請求項２３】
スティッキー領域の割り当てのための能力を交渉するための手段と、
前記能力を交渉することに応答してスティッキーイネーブルド接続を確立するための手段と、
前記スティッキーイネーブルド接続のための割り当てられたデータ領域に同意する又は前記スティッキーイネーブルド接続のための割り当てられたデータ領域を要求するための手段と、
第１の直交周波数分割多重（ＯＦＤＭ）又は直交周波数分割多元接続（ＯＦＤＭＡ）フレームに基づく第１の信号を受信するための手段と、
第１のＭＡＰ情報要素（ＩＥ）により前記第１のフレームにおいて前記割り当てられたデータ領域の位置を特定するための手段と、
第２のＯＦＤＭ又はＯＦＤＭＡフレームに基づく第２の信号を受信するための手段と、ここで前記第２の信号は、前記第１の信号よりも後に受信される手段と、
第２のＭＡＰ  ＩＥを用いずに前記第１のＭＡＰ  ＩＥにより前記第２のフレームにおいて前記割り当てられたデータ領域の位置を特定するための手段と、
を備える、スティッキー領域の割り当てのための装置。
【請求項２４】
前記能力を交渉するための手段は、
スティッキー領域の割り当てのための前記能力に関する加入者局基本的能力要求（ＳＢＣ−ＲＥＱ）を送信し、及び
スティッキー領域の割り当てのための前記能力を確認する加入者局基本的能力応答（ＳＢＣ−ＲＳＰ）を受信する、
ように構成される請求項２３に記載の装置。
【請求項２５】
前記スティッキーイネーブルド接続のための前記割り当てられたデータ領域に同意する又は前記スティッキーイネーブルド接続のための割り当てられたデータ領域を要求するための手段は、サービスフローを確立するように構成される請求項２３に記載の装置。
【請求項２６】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項２５に記載の装置。
【請求項２７】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項２５に記載の装置。
【請求項２８】
第３のＯＦＤＭ又はＯＦＤＭＡフレームに基づく第３の信号を受信するための手段と、ここで前記第３の信号は、前記第２の信号よりも後に受信される、
第３のＭＡＰ  ＩＥにより前記第３のフレームにおいて更新された割り当てられたデータ領域の位置を特定するための手段と、ここで前記更新された割り当てられたデータ領域は、前記第１のＭＡＰ  ＩＥにより位置が特定された前記割り当てられたデータ領域と異なる位置、継続時間、帯域幅、又は変調のうちの少なくとも１つを有する、
をさらに備える請求項２３に記載の装置。
【請求項２９】
ＯＦＤＭ／ＯＦＤＭＡシンボルの数のためのフィールド内においてゼロを有する第３のＭＡＰ  ＩＥを有する第３のＯＦＤＭ又はＯＦＤＭＡフレームに基づく第３の信号を受信するための手段と、ここで前記第３の信号は、前記第２の信号よりも後に受信される、
前記スティッキー領域の割り当てを終了させるための手段と、
をさらに備える請求項２３に記載の装置。
【請求項３０】
前記スティッキーイネーブルド接続は、ダウンリンク（ＤＬ）接続であり、前記割り当てられたデータ領域は、ＤＬデータ領域であり、前記第１のＭＡＰ  ＩＥは、ＤＬ−ＭＡＰ  ＩＥである請求項２３に記載の装置。
【請求項３１】
前記スティッキーイネーブルド接続は、アップリンク（ＵＬ）接続であり、前記割り当てられたデータ領域は、ＵＬデータ領域であり、前記第１のＭＡＰ  ＩＥは、ＵＬ−ＭＡＰ  ＩＥである請求項２３に記載の装置。
【請求項３２】
スティッキー領域の割り当てのための能力を交渉するように構成された交渉論理と、
前記能力の交渉に応答してスティッキーイネーブルド接続を確立するように構成された接続論理と、
前記スティッキーイネーブルド接続のための割り当てられたデータ領域に同意する又は前記スティッキーイネーブルド接続のための割り当てられたデータ領域を要求するように構成された割り当て論理と、
第１の直交周波数分割多重（ＯＦＤＭ）又は直交周波数分割多元接続（ＯＦＤＭＡ）フレームに基づく第１の信号を受信するための及び第２のＯＦＤＭ又はＯＦＤＭＡフレームに基づく第２の信号を受信するための無線周波数（ＲＦ）フロントエンドと、ここで前記第２の信号は、前記第１の信号よりも後に受信される、
第１のＭＡＰ情報要素（ＩＥ）により前記第１のフレームにおいて前記割り当てられたデータ領域の位置を特定するように及び第２のＭＡＰ  ＩＥを用いずに前記第１のＭＡＰ  ＩＥにより前記第２のフレームにおいて前記割り当てられたデータ領域の位置を特定するように構成されたＭＡＰ構文解析器と、
を備える、モバイルデバイス。
【請求項３３】
前記交渉論理は、
スティッキー領域の割り当てのための前記能力に関する加入者局基本的能力要求（ＳＢＣ−ＲＥＱ）を送信し、及び
スティッキー領域の割り当てのための前記能力を確認する加入者局基本的能力応答（ＳＢＣ−ＲＳＰ）を受信する、
ように構成される請求項３２に記載のモバイルデバイス。
【請求項３４】
前記割り当て論理は、サービスフローを確立するように構成される請求項３２に記載のモバイルデバイス。
【請求項３５】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項３４に記載のモバイルデバイス。
【請求項３６】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項３４に記載のモバイルデバイス。
【請求項３７】
前記ＲＦフロントエンドは、第３のＯＦＤＭ又はＯＦＤＭＡフレームに基づき及び前記第２の信号よりも後に受信される第３の信号を受信するように構成され、前記ＭＡＰ構文解析器は、第３のＭＡＰ  ＩＥにより前記第３のフレームにおいて更新された割り当てられたデータ領域の位置を特定するように構成され、及び、前記更新された割り当てられたデータ領域は、前記第１のＭＡＰ  ＩＥにより位置が特定された前記割り当てられたデータ領域と異なる位置、継続時間、帯域幅、又は変調のうちの少なくとも１つを有する請求項３２に記載のモバイルデバイス。
【請求項３８】
前記ＲＦフロントエンドは、ＯＦＤＭ／ＯＦＤＭＡシンボルの数のためのフィールド内においてゼロを有する第３のＭＡＰ  ＩＥを有する第３のＯＦＤＭ又はＯＦＤＭＡフレームに基く第３の信号を受信するように構成され、前記第３の信号は、前記第２の信号よりも後に受信され、前記ＭＡＰ構文解析器は、前記割り当てられたデータ領域を無視することによって前記スティッキー領域の割り当てを有効に終了させるように構成される請求項３２に記載のモバイルデバイス。
【請求項３９】
前記スティッキーイネーブルド接続は、ダウンリンク（ＤＬ）接続であり、前記割り当てられたデータ領域は、ＤＬデータ領域であり、前記第１のＭＡＰ  ＩＥは、ＤＬ−ＭＡＰ  ＩＥである請求項３２に記載のモバイルデバイス。
【請求項４０】
前記スティッキーイネーブルド接続は、アップリンク（ＵＬ）接続であり、前記割り当てられたデータ領域は、ＵＬデータ領域であり、前記第１のＭＡＰ  ＩＥは、ＵＬ−ＭＡＰ  ＩＥである請求項３２に記載のモバイルデバイス。
【請求項４１】
スティッキー領域の割り当てのための能力を交渉することと、
前記能力を交渉することに応答してスティッキーイネーブルド接続を確立することと、
前記確立されたスティッキーイネーブルド接続に基づいてデータ領域を割り当てることと、
開始直交周波数分割多重（ＯＦＤＭ）又は直交周波数分割多元接続（ＯＦＤＭＡ）フレームにおいて前記割り当てられたデータ領域の位置を特定するためのＭＡＰ情報要素（ＩＥ）を有する第１のＯＦＤＭ又はＯＦＤＭＡフレームに基づく第１の信号を送信することと、
第２のＯＦＤＭ又はＯＦＤＭＡフレームにおいて前記割り当てられたデータ領域の位置を特定するためのＭＡＰ  ＩＥを有さない前記第２のフレームに基づく第２の信号を送信すること、ここで前記第２の信号は、前記第１の信号及び前記開始フレームに基づく信号よりも後に送信される、
を備える、スティッキー領域の割り当てのための方法。
【請求項４２】
スティッキー領域の割り当てのための前記能力を交渉することは、ネットワークエントリ（ＮＥ）手順中に生じる請求項４１に記載の方法。
【請求項４３】
前記能力を交渉することは、
スティッキー領域の割り当てのための前記能力に関する加入者局基本的能力要求（ＳＢＣ−ＲＥＱ）を受信することと、
スティッキー領域の割り当てのための前記能力を確認する加入者局基本的能力応答（ＳＢＣ−ＲＳＰ）を送信すること、
を備える請求項４２に記載の方法。
【請求項４４】
前記スティッキーイネーブルド接続を確立することは、サービスフローを確立することを備える請求項４１に記載の方法。
【請求項４５】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項４４に記載の方法。
【請求項４６】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項４４に記載の方法。
【請求項４７】
前記データ領域を割り当てることは、前記確立された接続のための１つ以上のサービス品質（ＱｏＳ）パラメータを考慮することを備える請求項４１に記載の方法。
【請求項４８】
前記割り当てられたデータ領域と異なる位置、継続時間、帯域幅、又は変調のうちの少なくとも１つを有するために前記割り当てられたデータ領域を更新することと、
第３のＯＦＤＭ又はＯＦＤＭＡフレーム、又は後続するフレームにおいて前記更新された割り当てられたデータ領域の位置を特定するための新しいＭＡＰ  ＩＥを有する前記第３のフレームに基づく第３の信号を送信すること、ここで前記第３の信号は、前記第２の信号よりも後に受信される、
をさらに備える請求項４１に記載の方法。
【請求項４９】
ＯＦＤＭ／ＯＦＤＭＡシンボルの数のためのフィールド内においてゼロを有する新しいＭＡＰ  ＩＥを有する第３のＯＦＤＭ又はＯＦＤＭＡフレームに基づく第３の信号を送信すること、ここで前記第３の信号は、前記第２の信号よりも後に送信される、
前記スティッキー領域の割り当てを終了させること、
をさらに備える請求項４１に記載の方法。
【請求項５０】
前記スティッキーイネーブルド接続は、ダウンリンク（ＤＬ）接続であり、前記割り当てられたデータ領域は、ＤＬデータ領域であり、前記開始フレームにおいて前記データ領域の位置を特定するための前記ＭＡＰ  ＩＥは、ＤＬ−ＭＡＰ  ＩＥである請求項４１に記載の方法。
【請求項５１】
前記スティッキーイネーブルド接続は、アップリンク（ＵＬ）接続であり、前記割り当てられたデータ領域は、ＵＬデータ領域であり、前記開始フレームにおいて前記データ領域の位置を特定するための前記ＭＡＰ  ＩＥは、ＵＬ−ＭＡＰ  ＩＥである請求項４１に記載の方法。
【請求項５２】
前記開始フレームは、前記第１のフレームであり、前記第１の信号は、前記開始フレームに基づく前記信号である請求項４１に記載の方法。
【請求項５３】
前記開始フレームに基づく前記信号は、前記第１の信号よりも後に送信される請求項４１に記載の方法。
【請求項５４】
命令が格納されているコンピュータによって読み取り可能な媒体を備えるスティッキー領域の割り当てのためのコンピュータプログラム装置であって、前記命令は、１つ以上のプロセッサによって実行可能であり、前記命令は、
スティッキー領域の割り当てのための能力を交渉するための命令と、
前記能力を交渉することに応答してスティッキーイネーブルド接続を確立するための命令と、
前記確立されたスティッキーイネーブルド接続に基づいてデータ領域を割り当てるための命令と、
開始直交周波数分割多重（ＯＦＤＭ）又は直交周波数分割多元接続（ＯＦＤＭＡ）フレームにおいて前記割り当てられたデータ領域の位置を特定するためのＭＡＰ情報要素（ＩＥ）を有する第１のＯＦＤＭ又はＯＦＤＭＡフレームに基づく第１の信号を送信するための命令と、
第２のＯＦＤＭ又はＯＦＤＭＡフレームにおいて前記割り当てられたデータ領域の位置を特定するためのＭＡＰ  ＩＥを有さない前記第２のフレームに基づく第２の信号を送信するための命令と、ここで前記第２の信号は、前記第１の信号及び前記開始フレームに基づく信号よりも後に送信される、
を備える、スティッキー領域の割り当てのためのコンピュータプログラム装置。
【請求項５５】
前記能力を交渉することは、
スティッキー領域の割り当てのための前記能力に関する加入者局基本的能力要求（ＳＢＣ−ＲＥＱ）を受信することと、
スティッキー領域の割り当てのための前記能力を確認する加入者局基本的能力応答（ＳＢＣ−ＲＳＰ）を送信すること、
を備える請求項５４に記載のコンピュータプログラム装置。
【請求項５６】
前記スティッキーイネーブルド接続を確立することは、サービスフローを確立することを備える請求項５４に記載のコンピュータプログラム装置。
【請求項５７】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項５６に記載のコンピュータプログラム装置。
【請求項５８】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項５６に記載のコンピュータプログラム装置。
【請求項５９】
前記データ領域を割り当てることは、前記確立された接続のための１つ以上のサービス品質（ＱｏＳ）パラメータを考慮することを備える請求項５４に記載のコンピュータプログラム装置。
【請求項６０】
前記割り当てられたデータ領域と異なる位置、継続時間、帯域幅、又は変調のうちの少なくとも１つを有するために前記割り当てられたデータ領域を更新するための命令と、
第３のＯＦＤＭ又はＯＦＤＭＡフレーム、又は後続するフレームにおいて前記更新された割り当てられたデータ領域の位置を特定するための新しいＭＡＰ  ＩＥを有する前記第３のフレームに基づく第３の信号を送信するための命令と、ここで前記第３の信号は、前記第２の信号よりも後に送信される、
をさらに備える請求項５４に記載の命令。
【請求項６１】
ＯＦＤＭ／ＯＦＤＭＡシンボルの数のためのフィールド内においてゼロを有する新しいＭＡＰ  ＩＥを有する第３のＯＦＤＭ又はＯＦＤＭＡフレームに基づく第３の信号を送信するための命令と、ここで前記第３の信号は、前記第２の信号よりも後に送信される、
前記スティッキー領域の割り当てを終了させるための命令と、
をさらに備える請求項５４に記載の命令。
【請求項６２】
前記スティッキーイネーブルド接続は、ダウンリンク（ＤＬ）接続であり、前記割り当てられたデータ領域は、ＤＬデータ領域であり、前記開始フレームにおいて前記データ領域の位置を特定するための前記ＭＡＰ  ＩＥは、ＤＬ−ＭＡＰ  ＩＥである請求項５４に記載のコンピュータプログラム装置。
【請求項６３】
前記スティッキーイネーブルド接続は、アップリンク（ＵＬ）接続であり、前記割り当てられたデータ領域は、ＵＬデータ領域であり、前記開始フレームにおいて前記データ領域の位置を特定するための前記ＭＡＰ  ＩＥは、ＵＬ−ＭＡＰ  ＩＥである請求項５４に記載のコンピュータプログラム装置。
【請求項６４】
スティッキー領域の割り当てのための能力を交渉するための手段と、
前記能力を交渉することに応答してスティッキーイネーブルド接続を確立するための手段と、
前記確立されたスティッキーイネーブルド接続に基づいてデータ領域を割り当てるための手段と、
開始直交周波数分割多重（ＯＦＤＭ）又は直交周波数分割多元接続（ＯＦＤＭＡ）フレームにおいて前記割り当てられたデータ領域の位置を特定するためのＭＡＰ情報要素（ＩＥ）を有する第１のＯＦＤＭ又はＯＦＤＭＡフレームに基づく第１の信号を送信するための手段と、
第２のＯＦＤＭ又はＯＦＤＭＡフレームにおいて前記割り当てられたデータ領域の位置を特定するためのＭＡＰ  ＩＥを有さない前記第２のフレームに基づく第２の信号を送信するための手段と、ここで前記第２の信号は、前記第１の信号及び前記開始フレームに基づく信号よりも後に送信される、
を備える、スティッキー領域の割り当てのための装置。
【請求項６５】
前記能力を交渉するための手段は、
スティッキー領域の割り当てのための前記能力に関する加入者局基本的能力要求（ＳＢＣ−ＲＥＱ）を受信し、及び
スティッキー領域の割り当てのための前記能力を確認する加入者局基本的能力応答（ＳＢＣ−ＲＳＰ）を送信する、
ように構成される請求項６４に記載の装置。
【請求項６６】
前記スティッキーイネーブルド接続を確立するための前記手段は、サービスフローを確立するように構成される請求項６４に記載の装置。
【請求項６７】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項６６に記載の装置。
【請求項６８】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
を備える請求項６６に記載の装置。
【請求項６９】
前記データ領域を割り当てるための手段は、前記確立された接続のための１つ以上のサービス品質（ＱｏＳ）パラメータを考慮するように構成される請求項６４に記載の装置。
【請求項７０】
前記割り当てられたデータ領域と異なる位置、継続時間、帯域幅、又は変調のうちの少なくとも１つを有するために前記割り当てられたデータ領域を更新するための手段と、
第３のＯＦＤＭ又はＯＦＤＭＡフレーム、又は後続するフレームにおいて前記更新された割り当てられたデータ領域の位置を特定するための新しいＭＡＰ  ＩＥを有する前記第３のフレームに基づく第３の信号を送信するための手段と、ここで前記第３の信号は、前記第２の信号よりも後に送信される、
をさらに備える請求項６４に記載の装置。
【請求項７１】
ＯＦＤＭ／ＯＦＤＭＡシンボルの数のためのフィールド内においてゼロを有する新しいＭＡＰ  ＩＥを有する第３のＯＦＤＭ又はＯＦＤＭＡフレームに基づく第３の信号を送信するための手段と、ここで前記第３の信号は、前記第２の信号よりも後に送信される、
前記スティッキー領域の割り当てを終了させるための手段と、
をさらに備える請求項６４に記載の装置。
【請求項７２】
前記スティッキーイネーブルド接続は、ダウンリンク（ＤＬ）接続であり、前記割り当てられたデータ領域は、ＤＬデータ領域であり、前記開始フレームにおいて前記データ領域の位置を特定するための前記ＭＡＰ  ＩＥは、ＤＬ−ＭＡＰ  ＩＥである請求項６４に記載の装置。
【請求項７３】
前記スティッキーイネーブルド接続は、アップリンク（ＵＬ）接続であり、前記割り当てられたデータ領域は、ＵＬデータ領域であり、前記開始フレームにおいて前記データ領域の位置を特定するための前記ＭＡＰ  ＩＥは、ＵＬ−ＭＡＰ  ＩＥである請求項６４に記載の装置。
【請求項７４】
スティッキー領域の割り当てのための能力を交渉するように構成された交渉論理と、
前記能力を交渉することに応答してスティッキーイネーブルド接続を確立するように構成された接続論理と、
前記確立されたスティッキーイネーブルド接続に基づいてデータ領域を割り当てるように構成された割り当て論理と、
開始直交周波数分割多重（ＯＦＤＭ）又は直交周波数分割多元接続（ＯＦＤＭＡ）フレームにおいて前記割り当てられたデータ領域の位置を特定するためのＭＡＰ情報要素（ＩＥ）を有する前記第１のＯＦＤＭ又はＯＦＤＭＡフレームに基づく第１の信号を送信するように、及び第２のＯＦＤＭ又はＯＦＤＭＡフレームにおいて前記割り当てられたデータ領域の位置を特定するためのＭＡＰ  ＩＥを有さない前記第２のフレームに基づく第２の信号を送信するように構成された送信機フロントエンドと、ここで前記第２の信号は、前記第１の信号及び前記開始フレームに基づく信号よりも後に送信される、
を備える、基地局。
【請求項７５】
前記交渉論理は、
スティッキー領域の割り当てのための前記能力に関する加入者局基本的能力要求（ＳＢＣ−ＲＥＱ）を受信し、及び
スティッキー領域の割り当てのための前記能力を確認する加入者局基本的能力応答（ＳＢＣ−ＲＳＰ）を送信するように構成される請求項７４に記載の基地局。
【請求項７６】
前記接続論理は、サービスフローを確立するように構成される請求項７４に記載の基地局。
【請求項７７】
前記サービスフローを確立することは、
前記サービスフローのためにスティッキー領域の割り当てを用いるための動的サービス追加要求（ＤＳＡ−ＲＥＱ）を受信することと、
スティッキー領域の割り当てを用いることに同意する動的サービス追加応答（ＤＳＡ−ＲＳＰ）を送信すること、
を備える請求項７６に記載の基地局。
【請求項７８】
前記サービスフローを確立することは、
前記サービスフローのためにスティッキー領域の割り当てを用いるための動的サービス追加要求（ＤＳＡ−ＲＥＱ）を送信することと、
スティッキー領域の割り当てを用いることに同意する動的サービス追加応答（ＤＳＡ−ＲＳＰ）を受信すること、
とを備える請求項７６に記載の基地局。
【請求項７９】
割り当て論理は、前記確立された接続のための１つ以上のサービス品質（ＱｏＳ）パラメータを考慮するように構成される請求項７４に記載の基地局。
【請求項８０】
前記割り当て論理は、前記割り当てられたデータ領域と異なる位置、継続時間、帯域幅、又は変調のうちの少なくとも１つを有するために前記割り当てられたデータ領域を更新するように構成され、前記送信機フロントエンドは、第３のＯＦＤＭ又はＯＦＤＭＡフレーム、又は後続するフレームにおいて前記更新された割り当てられたデータ領域の位置を特定するための新しいＭＡＰ  ＩＥを有する前記第３のフレームに基づく第３の信号を送信するように構成され、前記第３の信号は、前記第２の信号よりも後に送信される請求項７４に記載の基地局。
【請求項８１】
前記割り当て論理は、前記スティッキー領域の割り当てを終了させるように構成され、前記送信機フロントエンドは、ＯＦＤＭ／ＯＦＤＭＡシンボルの数のためのフィールド内においてゼロを有する新しいＭＡＰ  ＩＥを有する第３のＯＦＤＭ又はＯＦＤＭＡフレームに基づく第３の信号を送信するように構成され、前記第３の信号は、前記第２の信号よりも後に送信される請求項７４に記載の基地局。
【請求項８２】
前記スティッキーイネーブルド接続は、ダウンリンク（ＤＬ）接続であり、前記割り当てられたデータ領域は、ＤＬデータ領域であり、前記開始フレームにおいて前記データ領域の位置を特定するための前記ＭＡＰ  ＩＥは、ＤＬ−ＭＡＰ  ＩＥである請求項７４に記載の基地局。
【請求項８３】
前記スティッキーイネーブルド接続は、アップリンク（ＵＬ）接続であり、前記割り当てられたデータ領域は、ＵＬデータ領域であり、前記開始フレームにおいて前記データ領域の位置を特定するための前記ＭＡＰ  ＩＥは、ＵＬ−ＭＡＰ  ＩＥである請求項７４に記載の基地局。
【発明の詳細な説明】
【技術分野】
【０００１】
本開示の幾つかの実施形態は、概して、無線通信に関するものである。本開示の幾つかの実施形態は、より具体的には、直交周波数分割多重（ＯＦＤＭ）又は直交周波数分割多元接続（ＯＦＤＭＡ）フレームにおけるＭＡＰ情報要素（ＭＡＰ  ＩＥ）の制御オーバーヘッドに関するものである。
【背景技術】
【０００２】
優先権の主張
本特許出願は、“Methods And Systems For Sticky Region Allocation inOFDMACommunication Systems”（ＯＦＤＭＡ通信システムにおけるスティッキー領域の割り当てのための方法及びシステム）という題名を有し、これの譲受人に対して譲渡され、すべての目的のためにここにおいて引用されることによって全体がここに組み入れられている米国特許出願一連番号第１２／１３７，５４０号（出願日：２００８年６月１２日）の一部継続であり及び優先権の利益を主張するものである。
【０００３】
ＩＥＥＥ８０２．１６に基づくＯＦＤＭ及びＯＦＤＭＡ無線通信システムは、複数の副搬送波の周波数の直交性に基づいてシステム内でのサービスのために登録された無線デバイス（すなわち、移動局）と通信するために基地局のネットワークを使用し及び広帯域無線通信にとっての幾つかの技術的利点、例えば、耐マルチパスフェージング性及び耐干渉性、を達成させるために実装することができる。各基地局は、移動局に及び移動局からデータを搬送する無線周波数（ＲＦ）信号を送信及び受信する。基地局からの該ＲＦ信号は、様々な通信管理機能のためのオーバーヘッド負荷(overhead load)を、データ負荷（音声及びその他のデータ）に加えて含む。各移動局は、データを処理する前に各々の受信された信号のオーバーヘッド負荷内の情報を処理する。
【０００４】
ＯＦＤＭ及びＯＦＤＭＡシステムに関するＩＥＥＥ８０２．１６ｘ規格の現行版に基づき、基地局からのすべてのダウンリンクサブフレームは、オーバーヘッド負荷の一部として、プリアンブルと、プリアンブルに後続するフレーム制御ヘッダ（ＦＣＨ）と、ＦＣＨに後続するダウンリンクマップ（ＤＬ−ＭＡＰ）と、を含む。プリアンブルは、セル及びセル内のセルセクタを探すための及び移動局を受信されたダウンリンク信号と時間及び周波数の両方の点で同期化させるための情報を含む。ダウンリンクサブフレームのＦＣＨ部は、ダウンリンク送信フォーマット（例えば、ＤＬ−ＭＡＰ）に関する情報及びダウンリンクデータ受信（例えば、現在のダウンリンクフレームにおける副搬送波の割り当て）のための制御情報を有する２４ビットを含む。ＤＬ−ＭＡＰは、ＯＦＤＭ／ＯＦＤＭＡフレーム内のＤＬデータバーストを正確に復号できるようにするためにダウンリンクデータ領域の割り当て及びバーストプロフィール情報を明示する。第１のＤＬデータバーストは、１つのフレームごとのアップリンク送信のための同様の割り当て及びバーストプロフィール情報を含むアップリンクマップ（ＵＬ−ＭＡＰ）であり、それは、制御オーバーヘッドの一部であると典型的にみなすこともできる。
【０００５】
制御オーバーヘッドは、ＯＦＤＭ又はＯＦＤＭＡフレームにおける時間及び周波数リソースの両方を消費し、制御メッセージは、基地局によってサポートされる同時並行ユーザ（例えば、移動局）の数に応じて増大する。これらの時間及び周波数リソースは１つのフレームごとに限られているため、制御オーバーヘッドによるこれらのリソースのより大量の消費は、データトラフィックのためにより少ないリソースが存在することを意味する。さらに、ほとんどの制御メッセージを可能な限り数多くの移動局によって信頼できる形で受信できるようにするために、これらのメッセージは最低の符号化レートで符号化されるため、制御メッセージの大きさの小さい増大は、フレームリソースの消費量の相当に大きい増大に至る。増大する制御オーバーヘッドの結果として、移動局の最大データスループットは、同時並行ユーザの数が増加するのに応じて指数的に低下する。
【発明の概要】
【０００６】
本開示の幾つかの実施形態は、概して、制御オーバーヘッドを低減させることができるようにするためにすべての直交周波数分割多重（ＯＦＤＭ）又は直交周波数分割多元接続（ＯＦＤＭＡ）フレーム内にＭＡＰ情報要素（ＭＡＰ  ＩＥ）が存在するわけではない状態でＯＦＤＭ又はＯＦＤＭＡフレーム内においてバーストの位置を特定することに関するものである。
【０００７】
本開示の幾つかの実施形態は、スティッキー領域の割り当て（sticky region allocation）のための方法を提供する。方法は、概して、スティッキー領域の割り当てのための能力（capability）を交渉する(negotiating)ことと、能力を交渉することに応答してスティッキーイネーブルド（sticky-enabled）接続を確立することと、スティッキーイネーブルド接続のための割り当てられたデータ領域に同意する又はスティッキーイネーブルド接続のための割り当てられたデータ領域を要求することと、第１のＯＦＤＭ又はＯＦＤＭＡフレームに基づく第１の信号を受信することと、第１のＭＡＰ  ＩＥにより第１のフレームにおいて割り当てられたデータ領域の位置を特定することと、第２のＯＦＤＭ又はＯＦＤＭＡフレームに基づく第２の信号を受信することと、ここで第２の信号は、第１の信号よりも後に受信される、第２のＭＡＰ  ＩＥを用いずに第１のＭＡＰ  ＩＥにより第２のフレームにおいて割り当てられたデータ領域の位置を特定すること、を含む。
【０００８】
本開示の幾つかの実施形態は、命令が格納されているコンピュータによって読み取り可能な媒体を備えるスティッキー領域の割り当てのためのコンピュータプログラム装置を提供し、命令は、１つ以上のプロセッサによって実行可能である。命令は、概して、スティッキー領域の割り当てのための能力を交渉するための命令と、能力を交渉することに応答してスティッキーイネーブルド接続を確立するための命令と、スティッキーイネーブルド接続のための割り当てられたデータ領域に同意する又はスティッキーイネーブルド接続のための割り当てられたデータ領域を要求するための命令と、第１のＯＦＤＭ又はＯＦＤＭＡフレームに基づく第１の信号を受信するための命令と、第１のＭＡＰ  ＩＥにより第１のフレームにおいて割り当てられたデータ領域の位置を特定するための命令と、第２のＯＦＤＭ又はＯＦＤＭＡフレームに基づく第２の信号を受信するための命令と、ここで第２の信号は、第１の信号よりも後に受信される、第２のＭＡＰ  ＩＥを用いずに第１のＭＡＰ  ＩＥにより第２のフレームにおいて割り当てられたデータ領域の位置を特定するための命令と、を含む。
【０００９】
本開示の幾つかの実施形態は、スティッキー領域の割り当てのための装置を提供する。装置は、概して、スティッキー領域の割り当てのための能力を交渉するための手段と、能力を交渉することに応答してスティッキーイネーブルド接続を確立するための手段と、スティッキーイネーブルド接続のための割り当てられたデータ領域に同意する又はスティッキーイネーブルド接続のための割り当てられたデータ領域を要求するための手段と、第１のＯＦＤＭ又はＯＦＤＭＡフレームに基づく第１の信号を受信するための手段と、第１のＭＡＰ  ＩＥにより第１のフレームにおいて割り当てられたデータ領域の位置を特定するための手段と、第２のＯＦＤＭ又はＯＦＤＭＡフレームに基づく第２の信号を受信するための手段と、ここで第２の信号は、第１の信号よりも後に受信されると、第２のＭＡＰ  ＩＥを用いずに第１のＭＡＰ  ＩＥにより第２のフレームにおいて割り当てられたデータ領域の位置を特定するための手段と、を含む。
【００１０】
本開示の幾つかの実施形態は、モバイルデバイスを提供する。モバイルデバイスは、概して、スティッキー領域の割り当てのための能力を交渉するように構成された交渉論理と、能力の交渉に応答してスティッキーイネーブルド接続を確立するように構成された接続論理と、スティッキーイネーブルド接続のための割り当てられたデータ領域に同意する又はスティッキーイネーブルド接続のための割り当てられたデータ領域を要求するように構成された割り当て論理と、第１のＯＦＤＭ又はＯＦＤＭＡフレームに基づく第１の信号を受信するための及び第２のＯＦＤＭ又はＯＦＤＭＡフレームに基づく第２の信号を受信するための無線周波数（ＲＦ）フロントエンドと、ここで第２の信号は第１の信号よりも後に受信される、第１のＭＡＰ  ＩＥにより第１のフレームにおいて割り当てられたデータ領域の位置を特定し及び第２のＭＡＰ  ＩＥを用いずに第１のＭＡＰ  ＩＥにより第２のフレームにおいて割り当てられたデータ領域の位置を特定するように構成されたＭＡＰ構文解析器と、を含む。
【００１１】
本開示の幾つかの実施形態は、スティッキー領域の割り当てのための方法を提供する。方法は、概して、スティッキー領域の割り当てのための能力を交渉することと、能力を交渉することに応答してスティッキーイネーブルド接続を確立することと、確立されたスティッキーイネーブルド接続に基づいてデータ領域を割り当てることと、開始ＯＦＤＭ又はＯＦＤＭＡフレームにおいて割り当てられたデータ領域の位置を特定するためのＭＡＰ  ＩＥを有する第１のＯＦＤＭ又はＯＦＤＭＡフレームに基づく第１の信号を送信することと、第２のＯＦＤＭ又はＯＦＤＭＡフレームにおいて割り当てられたデータ領域の位置を特定するためのＭＡＰ  ＩＥを有さない第２のフレームに基づく第２の信号を送信することと、ここで第２の信号は、第１の信号及び開始フレームに基づく信号よりも後に送信される、を含む。
【００１２】
本開示の幾つかの実施形態は、命令が格納されているコンピュータによって読み取り可能な媒体を備えるスティッキー領域の割り当てのためのコンピュータプログラム装置を提供し、命令は、１つ以上のプロセッサによって実行可能である。命令は、概して、スティッキー領域の割り当てのための能力を交渉するための命令と、能力を交渉することに応答してスティッキーイネーブルド接続を確立するための命令と、確立されたスティッキーイネーブルド接続に基づいてデータ領域を割り当てるための命令と、開始ＯＦＤＭ又はＯＦＤＭＡフレームにおいて割り当てられたデータ領域の位置を特定するためのＭＡＰ  ＩＥを有する第１のＯＦＤＭ又はＯＦＤＭＡフレームに基づく第１の信号を送信することと、第２のＯＦＤＭ又はＯＦＤＭＡフレームにおいて割り当てられたデータ領域の位置を特定するためのＭＡＰ  ＩＥを有さない第２のフレームに基づく第２の信号を送信するための命令と、ここで第２の信号は、第１の信号及び開始フレームに基づく信号よりも後に送信される、を含む。
【００１３】
本開示の幾つかの実施形態は、スティッキー領域の割り当てのための装置を提供する。装置は、概して、スティッキー領域の割り当てのための能力を交渉するための手段と、能力を交渉することに応答してスティッキーイネーブルド接続を確立するための手段と、確立されたスティッキーイネーブルド接続に基づいてデータ領域を割り当てるための手段と、開始ＯＦＤＭ又はＯＦＤＭＡフレームにおいて割り当てられたデータ領域の位置を特定するためのＭＡＰ  ＩＥを有する第１のＯＦＤＭ又はＯＦＤＭＡフレームに基づく第１の信号を送信するための手段と、第２のＯＦＤＭ又はＯＦＤＭＡフレームにおいて割り当てられたデータ領域の位置を特定するためのＭＡＰ  ＩＥを有さない第２のフレームに基づく第２の信号を送信するための手段と、ここで第２の信号は、第１の信号及び開始フレームに基づく信号よりも後に送信される、を含む。
【００１４】
本開示の幾つかの実施形態は、基地局を提供する。基地局は、概して、スティッキー領域の割り当てのための能力を交渉するように構成された交渉論理と、能力を交渉することに応答してスティッキーイネーブルド接続を確立するように構成された接続論理と、確立されたスティッキーイネーブルド接続に基づいてデータ領域を割り当てるように構成された割り当て論理と、開始ＯＦＤＭ又はＯＦＤＭＡフレームにおいて割り当てられたデータ領域の位置を特定するためのＭＡＰ  ＩＥを有する第１のＯＦＤＭ又はＯＦＤＭＡフレームに基づく第１の信号を送信し及び第２のＯＦＤＭ又はＯＦＤＭＡフレームにおいて割り当てられたデータ領域の位置を特定するためのＭＡＰ  ＩＥを有さない第２のフレームに基づく第２の信号を送信するように構成された送信機フロントエンドと、ここで第２の信号は、第１の信号及び開始フレームに基づく信号よりも後に送信される送信機フロントエンドと、を含む。
【図面の簡単な説明】
【００１５】
【図１】本開示の幾つかの実施形態による、無線通信システム例を示した図である。
【図２】本開示の幾つかの実施形態による無線デバイスにおいて利用することができる様々なコンポーネントを示した図である。
【図３】本開示の幾つかの実施形態による直交周波数分割多重及び直交周波数分割多元接続（ＯＦＤＭ／ＯＦＤＭＡ）技術を利用する無線通信システム内において用いることができる送信機例及び受信機例を示した図である。
【図４Ａ】本開示の幾つかの実施形態による、時分割複信（ＴＤＤ）のためのＯＦＤＭ／ＯＦＤＭＡフレーム例及びそこに含まれるフレーム制御ヘッダ（ＦＣＨ）のフォーマットを示した図であり、ＦＣＨは、ダウンリンクフレームプレフィックス（ＤＬＦＰ）情報を含む。
【図４Ｂ】本開示の幾つかの実施形態による、時分割複信（ＴＤＤ）のためのＯＦＤＭ／ＯＦＤＭＡフレーム例及びそこに含まれるフレーム制御ヘッダ（ＦＣＨ）のフォーマットを示した図であり、ＦＣＨは、ダウンリンクフレームプレフィックス（ＤＬＦＰ）情報を含む。
【図５】本開示の幾つかの実施形態による、一般的ダウンリンクマップ（ＤＬ−ＭＡＰ）情報要素（ＩＥ）を有するＤＬ−ＭＡＰメッセージのフォーマットを示した図である。
【図６】本開示の幾つかの実施形態による、基地局と移動局との間におけるサービスフローを伴う接続を示した図である。
【図７】本開示の幾つかの実施形態による、スティッキー領域の割り当てを用いるＯＦＤＭ又はＯＦＤＭＡフレームに基づく信号を送信するための動作例のフローチャートである。
【図７Ａ】本開示の幾つかの実施形態による、スティッキー領域の割り当てを用いるＯＦＤＭ又はＯＦＤＭＡフレームに基づく信号を送信するための図７の動作例に対応する手段のブロック図である。
【図８】本開示の幾つかの実施形態による、スティッキー領域の割り当てを用いるＯＦＤＭ又はＯＦＤＭＡフレームに基づく信号を受信するための動作例のフローチャートである。
【図８Ａ】本開示の幾つかの実施形態による、スティッキー領域の割り当てを用いるＯＦＤＭ又はＯＦＤＭＡフレームに基づく信号を受信するための図８の動作例に対応する手段のブロック図である。
【図９Ａ】本開示の幾つかの実施形態による、スティッキー領域の割り当てのための規定（provision）を有するネットワークエントリ（ＮＥ）手順例を示した図である。
【図９Ｂ】本開示の幾つかの実施形態による、スティッキー領域の割り当てのための規定を有するネットワークエントリ(network entry)（ＮＥ）手順例を示した図である。
【詳細な説明】
【００１６】
本開示の上記の特徴を詳細に理解できるようにするために、実施形態を参照することによって上記の概要のより具体的な説明を得ることができ、これらの実施形態の一部は、添付図に示される。しかしながら、添付図は、この開示の典型的な実施形態のみを例示するものであり、従って、適用範囲を制限するとはみなされるべきでなく、前記説明は、その他の同様に有効な実施形態を受け入れることができることが注目されるべきである。
【００１７】
本開示の幾つかの実施形態は、直交周波数分割多重（ＯＦＤＭ）又は直交周波数分割多元接続（ＯＦＤＭＡ）フレームにおいて固定されたデータ領域を割り当てる（“スティッキー領域の割り当て(sticky region allocation)”と呼ばれる）ための技法及び装置を提供する。スティッキー領域の割り当てを用いる場合においては、スティッキー領域は、基地局とユーザ端末との間の接続が確立されるＯＦＤＭ／ＯＦＤＭＡフレームに基づくネットワークのネットワークエントリ（ＮＥ）手順中に同意することができ、基地局は、スティッキー領域の位置及び寸法をユーザ端末に知らせるための単一のＭＡＰ情報要素(information element)（ＭＡＰ  ＩＥ）を送信することによってスティッキー領域を動的に(dynamically)設定することができる。これで、ユーザ端末は、後続するフレームにおいて各データバーストの位置を特定するためのＭＡＰ  ＩＥを必要とせずに複数のＯＦＤＭ／ＯＦＤＭＡフレームにおいてある接続のためのバーストを受信／送信することができる。基地局は、スティッキー領域の割り当てが修正又は終了される(modified or terminated)ときに他のＭＡＰ  ＩＥを送信するだけでよい。従って、制御オーバーヘッド、例えば、ダウンリンク（ＤＬ）及びアップリンク（ＵＬ）ＭＡＰメッセージ、の大きさを小さくすることができる。低減された制御オーバーヘッドは、データトラフィックのために利用可能なフレームリソースを増加させることができ、このため、ＯＦＤＭ／ＯＦＤＭＡ無線システムの全体的な効率及び性能を向上させることができる。
【００１８】
ここにおいて用いられる場合において、スティッキー領域は、概して、基地局があるフレーム内の各データバーストに対応するＯＦＤＭ／ＯＦＤＭＡフレームにおいて位置情報を送信する必要なしにユーザ端末（例えば、移動局）が各バーストの位置を特定することができるようにあるフレーム間隔で発生するＯＦＤＭ／ＯＦＤＭＡフレーム内の一時的な固定された位置を意味する。ここにおいて用いられる場合において、“データバーストの位置を特定する”は、ＤＬサブフレーム内においてＤＬデータバーストの位置を決定すること又はＵＬサブフレーム内においてＵＬデータバーストを配置することを意味することができる。
【００１９】
典型的な無線通信システム 
本開示の方法及び装置は、ブロードバンド無線通信システムにおいて利用することができる。用語“ブロードバンド無線”は、所定のエリアにおいて無線、音声、インターネット、及び／又はデータネットワークアクセスを提供する技術を意味する。
【００２０】
ＷｉＭＡＸは、マイクロ波アクセスに関する世界的相互運用性を意味し、長距離にわたる高スループットのブロードバンド接続を提供する規格に基づくブロードバンド無線技術である。今日においてはＷｉＭＡＸの２つの主な用途、すなわち固定ＷｉＭＡＸ及びモバイルＷｉＭＡＸ、が存在する。固定ＷｉＭＡＸの用途は、ポイントツーマルチポイントであり、例えば、家庭及び企業へのブロードバンドアクセスを可能にする。モバイルＷｉＭＡＸは、ブロードバンド速度におけるセルラーネットワークの完全な移動性を提供する。
【００２１】
モバイルＷｉＭＡＸは、ＯＦＤＭ（直交周波数分割多重）及びＯＦＤＭＡ（直交周波数分割多元接続）技術に基づく。ＯＦＤＭは、様々な高データレート通信システムにおいて最近広範囲にわたって採用されるようになっているデジタル多搬送波変調技法である。ＯＦＤＭを用いた場合は、送信ビットストリームが複数のより低いレートのサブストリームに分割される。各サブストリームは、複数の直交副搬送波のうちの１つで変調されて複数の並列なサブチャネルのうちの１つにおいて送信される。ＯＦＤＭＡは、異なるタイムスロットにおいてユーザに副搬送波が割り当てられる多元接続技法である。ＯＦＤＭＡは、非常に様々な用途、データレート、及びサービス品質要求を有する数多くのユーザに対処することが可能な柔軟な多元接続技法である。
【００２２】
無線インターネット及び通信における急成長が、無線通信サービスの分野における高データレートの要求増大に結びついている。ＯＦＤＭ／ＯＦＤＭＡシステムは、今日においては、最も有望な研究分野のうちの１つでありさらに次世代の無線通信にとっての鍵を握る技術であるとみなされている。これは、ＯＦＤＭ／ＯＦＤＭＡ変調方式が従来の単一搬送波変調方式と比較した場合に数多くの有利な点、例えば変調効率、スペクトル効率、柔軟性、及び強力なマルチパス耐性、を提供することができるという事実に起因する。
【００２３】
ＩＥＥＥ８０２．１６ｘは、固定された及びモバイルのブロードバンド無線アクセス（ＢＷＡ）システムのためのエアインタフェースを定義するための新たな規格組織である。ＩＥＥＥ８０２．１６ｘは、固定ＢＷＡシステムに関しては２００４年５月に“ＩＥＥＥ  Ｐ８０２．１６−ＲＥＶｄ／Ｄ５−２００４”を承認し、モバイルＢＷＡシステムに関しては２００５年１０月に“ＩＥＥＥ  Ｐ８０２．１６ｅ／Ｄ１２  Ｏｃｔ．２００５”を発行した。それらの２つの規格は、４つの異なる物理層（ＰＨＹ）及び１つのメディアアクセス制御（ＭＡＣ）層を定義した。これらの４つの物理層のＯＦＤＭ及びＯＦＤＭＡ物理層は、固定ＢＷＡ分野及びモバイルＢＷＡ分野においてそれぞれ最も用いられている。
【００２４】
図１は、無線通信システム１００の例を示す。無線通信システム１００は、ブロードバンド無線通信システムであることができる。無線通信システム１００は、複数のセル１０２のための通信を提供することができ、それらの各々は、基地局１０４によってサービスが提供される。基地局１０４は、ユーザ端末１０６と通信する固定された局であることができる。基地局１０４は、アクセスポイント、ノードＢ、又は何らかのその他の用語で代わりに呼ばれることがある。
【００２５】
図１は、システム１００全体に分散された様々なユーザ端末１０６を示す。ユーザ端末１０６は、固定型（すなわち静止型）又は移動型であることができる。ユーザ端末１０６は、遠隔局、アクセス端末、端末、加入者ユニット、移動局、局、ユーザ装置、等と代わりに呼ばれることがある。ユーザ端末１０６は、無線デバイス、例えば、携帯電話、パーソナルデジタルアシスタント（ＰＤＡ）、ハンドヘルドデバイス、無線モデム、ラップトップコンピュータ、パーソナルコンピュータ、等であることができる。
【００２６】
基地局１０４とユーザ端末１０６との間での無線通信システム１００における送信のために様々なアルゴリズム及び方法を用いることができる。例えば、信号は、ＯＦＤＭ／ＯＦＤＭＡ技法に従って基地局１０４とユーザ端末１０６との間で送信及び受信することができる。この場合は、無線通信システム１００は、ＯＦＤＭ／ＯＦＤＭＡシステムと呼ぶことができる。
【００２７】
基地局１０４からユーザ端末１０６への送信を容易にする通信リンクは、ダウンリンク１０８と呼ぶことができ、ユーザ端末１０６から基地局１０４への送信を容易にする通信リンクは、アップリンク１１０と呼ぶことができる。代替として、ダウンリンク１０８は、順方向リンク又は順方向チャネルと呼ぶことができ、アップリンク１１０は、逆方向リンク又は逆方向チャネルと呼ぶことができる。
【００２８】
セル１０２は、複数のセクタ１１２に分割することができる。セクタ１１２は、セル１０２内における物理的なカバレッジエリアである。無線通信システム１００内の基地局１０４は、セル１０２の特定のセクタ１１２内において電力の流れを集中させるアンテナを利用することができる。該アンテナは、指向性アンテナと呼ぶことができる。
【００２９】
図２は、無線デバイス２０２において利用することができる様々なコンポーネントを示す。無線デバイス２０２は、ここにおいて説明される様々な方法を実装するように構成することができるデバイスの例である。無線デバイス２０２は、基地局１０４又はユーザ端末１０６であることができる。
【００３０】
無線デバイス２０２は、無線デバイス２０２の動作を制御するプロセッサ２０４を含むことができる。プロセッサ２０４は、中央処理装置（ＣＰＵ）と呼ぶこともできる。メモリ２０６は、読み取り専用メモリ（ＲＯＭ）とランダムアクセスメモリ（ＲＡＭ）との両方を含むことができ、命令及びデータをプロセッサ２０４に提供する。メモリ２０６の一部は、非揮発性ランダムアクセスメモリ（ＮＶＲＡＭ）を含むこともできる。プロセッサ２０４は、メモリ２０６内に格納されたプログラム命令に基づいて論理演算及び算術演算を典型的に行う。メモリ２０６内の命令は、ここにおいて説明される方法を実装するために実行可能である。
【００３１】
無線デバイス２０２は、無線デバイス２０２と遠隔地との間におけるデータの送信及び受信を可能にするための送信機２１０と受信機２１２とを含むことができる筐体２０８を含むこともできる。送信機２１０及び受信機２１２は、結合してトランシーバ２１４にすることができる。アンテナ２１６は、筐体２０８に取り付けること及びトランシーバ２１４に電気的に結合することができる。無線デバイス２０２は、（示されていない）複数の送信機、複数の受信機、複数のトランシーバ、及び／又は複数のアンテナを含むこともできる。
【００３２】
無線デバイス２０２は、トランシーバ２１４によって受信された信号のレベルを検出及び定量化するために用いることができる信号検出器２１８を含むこともできる。信号検出器２１８は、総エネルギー、パイロット副搬送波からのパイロットエネルギー又はプリアンブルシンボルからの信号エネルギー、電力スペクトル密度、等の信号、及びその他の信号を検出することができる。無線デバイス２０２は、信号を処理する際に用いるためのデジタル信号プロセッサ（ＤＳＰ）２２０を含むこともできる。
【００３３】
無線デバイス２０２の様々なコンポーネントは、バスシステム２２２によってまとめて結合することができ、それは、データバスに加えて、電力バスと、制御信号バスと、状態信号バスと、を含むことができる。
【００３４】
図３は、ＯＦＤＭ／ＯＦＤＭＡを利用する無線通信システム１００内において用いることができる送信機３０２の例を示す。送信機３０２の一部分は、無線デバイス２０２の送信機２１０において実装することができる。送信機３０２は、ダウンリンク１０８においてユーザ端末１０６にデータ３０６を送信するために基地局１０４に実装することができる。送信機３０２は、アップリンク１１０において基地局１０４にデータ３０６を送信するためにユーザ端末１０６に実装することもできる。
【００３５】
送信されるべきデータ３０６は、シリアル・パラレル（Ｓ／Ｐ）変換器３０８への入力として提供される状態が示される。Ｓ／Ｐ変換器３０８は、送信データをＮの並列のデータストリーム３１０に分割することができる。
【００３６】
Ｎ個の並列のデータストリーム３１０は、マッパ(mapper)３１２への入力として提供することができる。マッパ３１２は、Ｎ個の並列のデータストリーム３１０をＮ個の信号点配置上にマッピングすることができる。マッピングは、バイナリ位相偏移変調（ＢＰＳＫ）、直交位相偏移変調（ＱＰＳＫ）、８位相偏移変調（８ＰＳＫ）、直交振幅変調（ＱＡＭ）、等、の変調信号点配置を用いて行うことができる。従って、マッパ３１２は、Ｎ個の並列のシンボルストリーム３１６を出力することができ、各シンボルストリーム３１６は、逆高速フーリエ変換（ＩＦＦＴ）３２０のＮ個の直交副搬送波のうちの１つに対応する。これらのＮ個の並列のシンボルストリーム３１６は、周波数領域において表され、ＩＦＦＴコンポーネント３２０によってＮ個の並列の時間領域サンプルストリーム３１８に変換することができる。
【００３７】
用語に関する簡単な注記がここで提供される。周波数領域におけるＮ個の並列変調は、周波数領域におけるＮ個の変調シンボルに相当し、それらは、周波数領域におけるＮ個のマッピング及びＮ点ＩＦＦＴに相当し、それは、時間領域における１つの（有用な）ＯＦＤＭシンボルに相当し、それは、時間領域におけるＮ個のサンプルに相当する。時間領域における１つのＯＦＤＭシンボルＮｓは、Ｎｃｐ（ＯＦＤＭシンボル当たりのガードサンプルの数）＋Ｎ（ＯＦＤＭシンボル当たりの有用なサンプルの数）に相当する。
【００３８】
Ｎ個の並列の時間領域サンプルストリーム３１８は、パラレル・シリアル（Ｐ／Ｓ）変換器３２４によってＯＦＤＭ／ＯＦＤＭＡシンボルストリーム３２２に変換することができる。ガード挿入（guard insertion）コンポーネント３２６は、ＯＦＤＭ／ＯＦＤＭＡシンボルストリーム３２２内の連続するＯＦＤＭ／ＯＦＤＭＡシンボル間にガード間隔を挿入することができる。ガード挿入コンポーネント３２６の出力は、無線周波数（ＲＦ）フロントエンド３２８によって希望される送信周波数帯域にアップコンバージョンすることができる。アンテナ３３０は、結果的に得られた信号３３２を送信することができる。
【００３９】
図３は、ＯＦＤＭ／ＯＦＤＭＡを利用する無線通信システム１００内において用いることができる受信機３０４の例も示す。受信機３０４の一部分は、無線デバイス２０２の受信機２１２において実装することができる。受信機３０４は、ダウンリンク１０８において基地局１０４からデータ３０６を受信するためにユーザ端末１０６に実装することができる。受信機３０４は、アップリンク１１０においてユーザ端末１０６からデータ３０６を受信するために基地局１０４において実装することもできる。
【００４０】
送信された信号３３２は、無線チャネル３３４において移動する状態が示される。信号３３２’がアンテナ３３０’によって受信されたときに、受信された信号３３２’は、ＲＦフロントエンド３２８’によってベースバンド信号にダウンコンバージョンすることができる。ガード除去（guard removal）コンポーネント３２６’は、ガード挿入コンポーネント３２６によってＯＦＤＭ／ＯＦＤＭＡシンボル間に挿入されたガード間隔を除去することができる。
【００４１】
ガード除去コンポーネント３２６’の出力は、Ｓ／Ｐ変換器３２４’に提供することができる。Ｓ／Ｐ変換器３２４’は、ＯＦＤＭ／ＯＦＤＭＡシンボルストリーム３２２’をＮ個の並列の時間領域シンボルストリーム３１８’に分割することができ、これらの各々は、Ｎ個の直交副搬送波のうちの１つに対応する。高速フーリエ変換（ＦＦＴ）コンポーネント３２０’は、Ｎ個の並列の時間領域シンボルストリーム３１８’を周波数領域に変換し、Ｎ個の並列の周波数領域シンボルストリーム３１６’を出力することができる。
【００４２】
デマッパ(demapper)３１２’は、マッパ３１２によって行われたシンボルマッピング動作の逆を行い、それによってＮ個の並列のデータストリーム３１０’を出力することができる。Ｐ／Ｓ変換器３０８’は、Ｎ個の並列のデータストリーム３１０’を結合して単一のデータストリーム３６０’にすることができる。理想的なことに、このデータストリーム３０６’は、送信機３０２への入力として提供されたデータ３０６に対応する。
【００４３】
典型的なＯＦＤＭ／ＯＦＤＭＡフレーム 
今度は図４Ａを参照し、時分割複信（ＴＤＤ）の実装のためのＯＦＤＭ／ＯＦＤＭＡフレーム４００が、典型的な、ただし限定しない、例として描かれる。ＯＦＤＭ／ＯＦＤＭＡフレームのその他の実装、例えば、全及び半二重周波数分割複信（ＦＤＤ）、を用いることができ、その場合は、フレームは、ダウンリンク（ＤＬ）及びアップリンク（ＵＬ）の両方のメッセージが異なる搬送波において同時に送信されること以外は同じである。ＴＤＤ実装においては、各フレームは、ＤＬサブフレーム４０２及びＵＬサブフレーム４０４に分割することができ、それらは、ＤＬ及びＵＬの送信の衝突を防止するために小さいガード間隔４０６によって、より具体的には、送信／受信及び受信／送信切り替えギャップ（それぞれＴＴＧ及びＲＴＧ）によって分離することができる。ＤＬ対ＵＬサブフレーム比は、異なるトラフィックプロフィール(traffic profiles)をサポートするために３：１乃至１：１の間で変化させることができる。
【００４４】
ＯＦＤＭ／ＯＦＤＭＡフレーム４００内において、様々な制御情報を含めることができる。例えば、フレーム４００の第１のＯＦＤＭ／ＯＦＤＭＡフレームは、同期化のために用いられる幾つかのパイロット信号（パイロット）を含むことができるプリアンブル４０８であることができる。プリアンブル４０８内の固定されたパイロットシーケンスは、受信機３０４が周波数及び位相の誤差を推定すること及び送信機３０２と同期化することを可能にすることができる。さらに、プリアンブル４０８内の固定されたパイロットシーケンスは、無線チャネルを推定及び等化するために利用することができる。プリアンブル４０８は、ＢＰＳＫ変調された搬送波を含むことができ、典型的には１つのＯＦＤＭシンボルの長さである。プリアンブル４０８の搬送波は、電力ブースト（power boost）することができ、ＷｉＭＡＸ信号内のデータ部の周波数領域における電力レベルよりも典型的には数デシベル（ｄＢ）（例えば、９ｄＢ）高い。用いられるプリアンブル搬送波の数は、ゾーンの３つのセグメントのうちのいずれが用いられるかを示すことができる。例えば、搬送波０、３、６，．．．は、セグメント０が用いられることを示すことができ、搬送波１、４、７，．．．は、セグメント１が用いられることを示すことができ、搬送波２、５、８，．．．は、セグメント２が用いられることを示すことができる。
【００４５】
フレーム制御ヘッダ(Frame Control Header)（ＦＣＨ）４１０は、プリアンブル４０８に後続することができる。ＦＣＨ４１０は、現在のＯＦＤＭ／ＯＦＤＭＡフレームのためのフレーム構成情報、例えば、使用可能なサブチャネル、変調及び符号化方式、及びＭＡＰメッセージ長、を提供することができる。フレーム構成情報の概略を示したデータ構造、例えば、ダウンリンクフレームプレフィックス(downlink Flame Prefix)（ＤＬＦＰ）４１２、をＦＣＨ４１０にマッピングすることができる。
【００４６】
図４Ｂに示されるように、モバイルＷｉＭＡＸのためのＤＬＦＰ４１２は、ＤＬＦＰ４１２内の合計２４ビットに関する、使用されたサブチャネル（ＳＣＨ）ビットマップのための６つのビット４１２ａと、０に設定された予約されたビット４１２ｂと、繰り返し符号化指示のための２つのビット４１２ｃと、符号化指示のための３つのビット４１２ｄと、ＭＡＰメッセージ長のための８つのビット４１２ｅと、０に設定された４つの予約されたビット４１２ｆと、を備えることができる。ＦＣＨ４１０にマッピングされる前に、最小の前方誤り訂正（ＦＥＣ）ブロックサイズである４８ビットのブロックを形成するために２４ビットのＤＬＦＰを複製することができる。
【００４７】
ＦＣＨ４１０に後続して、ＤＬ−ＭＡＰ４１４及びＵＬ−ＭＡＰ４１６は、ＤＬ及びＵＬサブフレーム４０２、４０４のためのサブチャネル割り当て及びその他の制御情報を明示することができる。ＯＦＤＭＡの場合は、フレーム内のデータ領域を複数のユーザに割り当てることができ、これらの割り当ては、ＤＬ及びＵＬ−ＭＡＰ４１４、４１６において明示することができる。ＭＡＰメッセージは、特定のリンクにおいて用いられる変調及び符号化方式を定義する、各ユーザのためのバーストプロフィールを含むことができる。ＭＡＰメッセージは、全ユーザに到達する必要がある重要情報を含むため、ＤＬ及びＵＬ−ＭＡＰ４１４、４１６は、非常に信頼性の高いリンク、例えば、レート１／２符号化及び繰り返し符号化を有するＢＰＳＫ又はＱＰＳＫ、を通じてしばしば送信することができる。ＯＦＤＭ／ＯＦＤＭＡフレームのＤＬサブフレーム４０２は、通信中のダウンリンクデータを含む様々なビット長のＤＬバーストを含むことができる。従って、ＤＬ−ＭＡＰ４１４は、ダウンリンクゾーンに含まれるバーストの位置及びダウンリンクバーストの数、及び時間（すなわち、シンボル）方向及び周波数（すなわち、サブチャネル）方向の両方におけるオフセット及び長さ、を記述することができる。
【００４８】
同様に、ＵＬサブフレーム４０４は、通信中のアップリンクデータから成る様々なビット長のＵＬバーストを含むことができる。従って、ダウンリンクサブフレーム４０２において第１のバーストとして送信されたＵＬ−ＭＡＰ４１６は、異なるユーザのためのＵＬバーストの位置に関する情報を含むことができる。ＵＬサブフレーム４０４は、図４Ａに示されるような追加の制御情報を含むことができる。ＵＬサブフレーム４０４は、ＤＬハイブリッド自動再送要求肯定応答(hybrid automatic repeat request acknowledge)（ＨＡＲＱ  ＡＣＫ）をフィードバックするために移動局（ＭＳ）のために割り当てられたＵＬ  ＡＣＫ４１８及び／又はチャネル品質インジケータチャネル（ＣＱＩＣＨ）においてチャネル状態情報をフィードバックするためにＭＳのために割り当てられたＵＬ  ＣＱＩＣＨ４２０を含むことができる。さらに、ＵＬサブフレーム４０４は、ＵＬ測距サブチャネル４２２を備えることができる。ＵＬ測距サブチャネル(UL Ranging subchannel)４２２は、ＭＳが閉ループ時間、周波数、及び電力調整、及び帯域幅要求を行うために割り当てることができる。要約すると、プリアンブル４０８、ＦＣＨ４１０、ＤＬ−ＭＡＰ４１４、及びＵＬ−ＭＡＰ４１６は、受信機３０４が受信された信号を正確に復調するのを可能にする情報を搬送することができる。
【００４９】
ＯＦＤＭＡに関して、ＤＬ及びＵＬにおける送信のために異なる“モード”を用いることができる。あるモードが用いられる時間領域内のエリアは、概してゾーンと呼ばれる。１つのタイプのゾーンは、ＤＬ−ＰＵＳＣ（ダウンリンクでのサブチャネルの部分的使用）と呼ばれ、それが利用可能なすべてのサブチャネルを使用できるわけではない（すなわち、ＤＬ−ＰＵＳＣゾーンは、特定のグループのサブチャネルしか使用できない）。合計で６つのサブチャネルグループが存在することができ、それらは、最大で３つのセグメントに割り当てることができる。従って、セグメントは、１つ乃至６つのサブチャネルグループを含むことができる（例えば、セグメント０は、３つのサブチャネルグループを含み、セグメント１は、２つを含み、セグメント２は１つのサブチャネルグループを含む）。他のタイプのゾーンは、ＤＬ−ＦＵＳＣ（ダウンリンクでのサブチャネルの全使用）と呼ばれる。ＤＬ−ＰＵＳＣと異なり、ＤＬ−ＦＵＳＣは、セグメントを使用しないが、全バーストを完全な周波数範囲にわたって分散させることができる。
【００５０】
典型的なＤＬ−ＭＡＰ及びＤＬ−ＭＡＰ  ＩＥ  
図４ＡのＤＬ−ＭＡＰ４１４は、図５においてさらに詳細に示される。ＤＬ−ＭＡＰ４１４は、制御メッセージはＤＬ−ＭＡＰであることを示すための２値（００００００１０ｂ）を有する８ビットの長さを有する管理メッセージタイプ５０２で始まることができる。管理メッセージタイプ５０２は、長さが８ビットであるフレーム継続時間符号５０４、及び長さが２４ビットであるフレーム番号５０６によって後続することができる。フレーム番号５０６は、８ビットの長さを有し及びダウンリンクチャネル記述子（ＤＣＤ）構成変更カウント値と一致するＤＣＤカウント５０８によって後続することができる。ＤＣＤメッセージは、ダウンリンクに割り当てられた各バースト間隔に対して適用すべき物理的及びメディアアクセス制御（ＭＡＣ）層に関連するパラメータを意味し、それらは、変調タイプ、前方誤り訂正（ＦＥＣ）符号タイプ、等を含む。ＤＣＤカウント５０８は、４８ビットの全長のための６バイトの長さを有する基地局識別子（ＢＳＩＤ）５１０によって後続することができる。ＢＳＩＤ５１０は、ネットワーク基地局を一意で識別することができ及びＤＬサブフレーム４０２におけるＯＦＤＭＡシンボルの数を示し及び８ビットの長さを有するＤＬシンボル継続時間５１２によって後続することができる。
【００５１】
可変長を有するＤＬ−ＭＡＰ情報要素（ＩＥ）５１４の数（ｎ）がＤＬシンボル継続時間５１２に後続することができる。一般的ＤＬ−ＭＡＰ  ＩＥ５１４は、ダウンリンク送信を定義するためのダウンリンク間隔使用符号（ＤＩＵＣ）５１６と、接続ＩＤのリスト５１８と、ＤＬバースト割り当て５２０（例えば、サブチャネルオフセット、シンボルオフセット、サブチャネル番号、シンボル番号）と、を備えることができる。０乃至１２の間のＤＩＵＣ５１６は、ＤＬ−ＭＡＰ  ＩＥがＤＬバーストプロフィール（すなわち、バーストにおいて用いられる変調及び符号化方式）を提供することを示すことができ、１４又は１５のＤＩＵＣ５１６は、ＤＬ−ＭＡＰ  ＩＥが制御情報要素であることを示すことができる。１３のＤＩＵＣ５１６は、ＤＬ−ＭＡＰ  ＩＥは安全ゾーン（すなわち、ギャップ）及びピーク対平均電力比（ＰＡＰＲ）の低減のために用いられることを示すことができる。図５に示されていないが、ＤＬ−ＭＡＰ４１４の幾つかの実施形態は、ＤＬ−ＭＡＰ４１４のためのバイト境界に達するために４ビットの長さを有するパディング（padding）を含むことができる。
【００５２】
典型的なスティッキー領域の割り当て 
より多くのフレームリソースをデータトラフィックのために用いることができるように連続するフレームにおける制御オーバーヘッド（すなわち、ＤＬ−ＭＡＰ４１４及び／又はＵＬ−ＭＡＰ４１６の大きさ）を低減させるために、幾つかの先行する解決方法は、スティッキー領域を割り当てる、修正する、及び終了させるための新しいＭＡＰ  ＩＥを導入することによってＷｉＭＡＸ規格（例えば、ＩＥＥＥ８０２．１６ｅ）に準拠して標準的なＭＡＰメッセージフォーマッを変更することを提案している。これらの解決方法は、制御オーバーヘッドを有意に低減させる一方で、新しいＭＡＰ  ＩＥ又はその他の新しいＭＡＰメッセージを導入することは、特に移動局が異なるサービング基地局を有するセルからセルに移動するときに、基地局及び移動局の両方がＯＦＤＭ／ＯＦＤＭＡフレームにおける低減された制御オーバーヘッドから利益を受けることができるような形でのＷｉＭＡＸ規格に対する変更を典型的に要求する。従って、必要なことは、ＷｉＭＡＸ規格に対する変更が存在する場合に実質的な変更を要求することなしにＯＦＤＭ／ＯＦＤＭＡフレームにおける制御オーバーヘッドを低減させるための技法及び装置である。
【００５３】
本開示の幾つかの実施形態によるスティッキー領域の割り当ての詳細について検討する前に、図６は、基地局（ＢＳ）１０４と移動局（ＭＳ）６００との間におけるサービスフローを伴う接続を示す。いずれかのデータパケット、例えばプロトコルデータユニット（ＰＤＵ）６０２、が２つのデバイス間で送信される前に、接続６０４と呼ばれる１つ以上の単方向論理リンクを基地局１０４と移動局６００との間で確立することができる。接続６０４を確立することは、以下においてさらに詳細に説明されるように、ＷｉＭＡＸ規格に準拠した測距する、能力を交渉する、及び登録するステップを含むことができる。図６は、２つの確立された接続６０４を示す。各接続６０４には特定の接続識別子（ＣＩＤ）を割り当てることができる。
【００５４】
接続６０４が確立された時点で、アウトバウンド（outbound）メディアアクセス制御（ＭＡＣ）は、接続を通じて引き渡されるべきサービスフロー６０６内にＭＡＣインタフェースを通じて入るパケットを関連づけることができる。各サービスフロー６０６には、特定のサービスフロー識別子（ＳＦＩＤ）を割り当てることができる。サービスフロー６０６と関連づけられたサービス品質（ＱｏＳ）パラメータは、接続のエアインタフェースにおける送信順序及びスケジューリングを指示することができる。これらのサービスフローパラメータは、動的なサービス要求に対処するためにＭＡＣメッセージ（例えば、ＤＳＡ−ＲＥＱ及びＤＳＡ−ＲＳＰ）を通じて動的に管理することができる。換言すると、基地局１０４及び移動局６００は、アプリケーションデータがアプリケーションに該当するＱｏＳ処理を受信することを保証するための該当するＱｏＳクラス、帯域幅、及び遅延を有するサービスフロー６０６を利用することができる。ＱｏＳ機構は、ＤＬ方向及びＵＬ方向の両方において適切なＱｏＳを提供するために両方の方向に対して適用することができる。
【００５５】
モバイルＷｉＭＡＸに関する１つのタイプのＱｏＳクラス又はカテゴリは、非要請許可サービス（Unsolicited Grant Service）（ＵＧＳ）である。ＵＧＳは、周期的な間隔での固定されたサイズのデータパケットを備えるリアルタイムのデータストリームをサポートするために定義され、それは、移動局の要求のオーバーヘッド及びレーテンシーを取り除き、サービスフローのリアルタイムのニーズを満たすために許可を入手可能であることを保証する。ＵＧＳは、ボイスオーバーインターネットプロトコル（Voice over Internet   Protocol（ＶｏＩＰ）及びＴ１／Ｅ１転送、等のアプリケーションのために典型的に用いられる。データバーストの固定された大きさ及び周期性に起因して、ＵＧＳは、以下において説明される本開示の実施形態によるスティッキー領域の割り当てから利益を得る上での優れた候補である。
【００５６】
該当するＱｏＳを達成させるために、基地局１０４内の分類器６０８は、割り当てられたＱｏＳパラメータ等の分類器情報に従って、ＳＦＩＤとＣＩＤとを含むことができるＰＤＵ６０２を分類することができる。ＰＤＵ６０２は、ＭＡＣサービスデータユニット（ＳＤＵ）にマッピングされる。分類は、ＭＡＣ  ＳＤＵがＭＡＣピア間での転送のために特定の転送接続上にマッピングしたプロセスである。マッピングプロセスは、ＭＡＣ  ＳＤＵを転送接続と関連づけ、それは、その接続のサービスフロー上の特徴との関連づけも生成する。このプロセスは、該当するＱｏＳ上の制約事項を有するＭＡＣ  ＳＤＵの引き渡しを容易にする。これで、分類器６０８は、スケジューラ６１０に分類されたＰＤＵを送信することができる。
【００５７】
基地局スケジューラ６１０は、各バースト割り当てのための該当するデータレート（又はバーストプロフィール）を決定することができる。スケジューラ６１０は、バッファサイズ、受信機におけるチャネル伝播状態、及び／又はチャネル品質インジケータチャネル（ＣＱＩＣＨ）４２０によってフィードバックされた関連するチャネル状態情報にその決定を基づくことができる。チャネル状態情報は、例えば、物理的なチャネル対干渉及び雑音比（ＣＩＮＲ）又は有効ＣＩＮＲを含むことができる。従って、分類器６０８及びスケジューラ６１０を用いることで、基地局１０４は、シグナリングメッセージ及び分類器情報に基づいてトラフィックの特徴を決定することができる。
【００５８】
分類及びスケジューリングされた後は、ＭＡＣ層におけるＰＤＵ６０２は、スケジューラ６１０からのスケジューリング情報によりＯＦＤＭ又はＯＦＤＭＡフレームを構築するために物理層（ＰＨＹ）において動作するＭＡＰビルダ（示されていない）によって基地局１０４において処理することができる。構築されたＯＦＤＭ又はＯＦＤＭＡフレームに基づく信号は、基地局１０４によってブロードキャストされて移動局６００によって受信される。移動局６００において、受信された信号は、例えばＭＡＰ構文解析器６１２が含まれているＤＬ−ＭＡＰ４１４及びＤＬ−ＭＡＰ  ＩＥ５１４により各ＤＬサブフレーム４０２内におけるデータバーストの位置を特定することができる。ＭＡＰ構文解析器６１２は、ＵＬ−ＭＡＰ４１６によりＵＬサブフレーム４０４内の１つ以上のデータバーストのための位置を決定することもでき、それにより、移動局６００内のＭＡＰビルダは、アップリンク方向における送信のためにＵＬデータバーストをスケジューリングすることができる。
【００５９】
本開示の幾つかの実施形態により、移動局６００及び基地局１０４の呼マネージャ(call manager)又はスケジューラは、シグナリングメッセージ及び分類器情報に基づいてトラフィックの特徴を決定することができる。この決定は、それらのトラフィックの特徴を用いて接続を確立中に又は確立直後に生じることができる。基地局１０４及び移動局６００が特定の接続６０４のためのスティッキー領域を割り当てることに同意した時点で、基地局ＭＡＰビルダ及び移動局ＭＡＰ構文解析器６１２は、例えば、基地局呼マネージャ（ＢＳＣＭ）６１４及び移動局呼マネージャ（ＭＳＣＭ）６１６によってそれぞれ連絡を受けることができる。
【００６０】
スティッキー領域の割り当てをサポートするこの特定の接続６０４のための第１の通信データに関して、ＭＡＰビルダは、ＯＦＤＭ又はＯＦＤＭＡフレーム４００のＤＬ−ＭＡＰ４１４又はＵＬ−ＭＡＰ４１６内に所在するＭＡＰ  ＩＥを生成することができる。このＭＡＰ  ＩＥは、フレーム内におけるデータバーストの位置、継続時間、周波数帯域、及び変調を示すことができるだけでなく、この接続のための後続データのためのスティッキー領域の割り当てをトリガすることもできる。例えば、ダウンリンクに関して、ＭＡＰ構文解析器６１２は、スティッキーサポートされた接続６０４におけるデータ内においてＭＡＰ  ＩＥの位置を特定することができ及び位置、時間及び周波数の次元、及び変調パラメータを復号器（例えば、デマッパ３１２’）に知らせることができ、このため、復号器は、確立されたフレーム間隔に従って後続するＯＦＤＭ／ＯＦＤＭＡフレーム内の割り当てられたスティッキー領域からのデータを自動的に復号することができる。その後は、基地局ＭＡＰビルダは、この特定の接続６０４のためのデータバーストのためのＭＡＰ  ＩＥを含める必要がなく、基地局又は移動局のためのＭＡＰビルダは、ＯＦＤＭ／ＯＦＤＭＡフレーム内の同じ位置にこの特定の接続のためのデータバーストを配置し続けることができる。従って、後続するＯＦＤＭ／ＯＦＤＭＡフレームが受信されたときに、移動局６００は、他のＭＡＰ  ＩＥを受信することなしにどこにおいてデータバーストの位置を特定すべきかを知ることになる。
【００６１】
この原理は、概して、ここにおいてはスティッキー領域の割り当てと呼ばれる。スティッキー領域のための他のＭＡＰ  ＩＥは、割り当てられたスティッキー領域の大きさ及び／又は位置が修正中であるか又は終了される場合にしかＤＬ−ＭＡＰ４１４又はＵＬ−ＭＡＰ４１６において送信しなくてもよい。このようにして、標準的なＭＡＰ  ＩＥを修正することなしにＤＬ−ＭＡＰ４１４又はＵＬ−ＭＡＰ４１６の大きさ、従って制御オーバーヘッド、を低減させることができる。
【００６２】
スティッキー領域の割り当てを用いる典型的な信号送信 
図７は、例えば、基地局の観点からのスティッキー領域の割り当てを用いるＯＦＤＭ／ＯＦＤＭＡフレームに基く信号を送信するための動作例７００のフローチャートである。動作７００は、スティッキー領域の割り当てをサポート及び利用する接続のみに関係し、それは、基地局１０４及び移動局６００の両方が基本的能力の交渉(basic capability negotiation)中にスティッキー領域の割り当て能力をサポートする及び用いることに同意することを意味する。ここにおいて用いられる場合において、“割り当てられたデータ領域の位置を特定する”は、ＤＬサブフレーム４２０内においてＤＬデータバーストの位置を見つけること又はＵＬサブフレーム４０４内においてＵＬデータを配置することのいずれかを意味することができる。さらに、動作７００は、明確化のために単一のスティッキー領域のみに関係するが、異なるＯＦＤＭ／ＯＦＤＭＡフレーム位置を用いて複数のスティッキー領域を割り当てることができる。
【００６３】
ネットワークエントリ（ＮＥ）手順は、測距する、基本的能力を交渉する、及び登録するための動作を備えることができる。動作７００は、７０１において、ＮＥ手順の基本的能力の交渉中にスティッキー領域の割り当てのための能力が移動局６００によってサポートされているかどうかを決定することによって開始することができる。７０１においてスティッキー能力を交渉後は、基地局１０４と移動局６００との間で７０２においてスティッキーイネーブルド接続６０４を確立することができる。幾つかの実施形態に関して、接続を確立することは、動的なサービスフローの追加又は修正を備えることができ、それは、要求を送信すること又は受信された要求への応答を送信すること（例えば、ＤＳＡ−ＲＥＱ及びＤＳＡ−ＲＳＰメッセージ）を備えることができる。
【００６４】
７０４において、確立された接続に基づいてデータ領域を割り当てることができる。このスティッキーデータ領域は、上述されるように、接続６０４が確立されたときにシグナリングメッセージ及び分類器情報からのトラフィックの特徴（例えば、ＱｏＳ）に基づいて割り当てることができる。さらに、スティッキー領域データを含むＯＦＤＭ／ＯＦＤＭＡフレームのためのフレーム間隔は、ＱｏＳパラメータに依存することができ及び各々のベンダーごとのタイプ、長さ、値（ＴＬＶ）又は将来の規格における新ＴＬＶを用いることによって動的サービス追加要求（ＤＳＡ−ＲＥＱ）メッセージにおいて明示することができる。このスティッキーフレーム間隔は、接続６０４のＱｏＳ要求に依存して変化させることができる。ＤＬ又はＵＬデータトラフィックのために提供された場合において、スティッキー領域は、接続の確立中又は確立後に割り当てることができる。幾つかの実施形態に関して、スティッキー領域は、スティッキーイネーブルド接続のための第１のＭＡＰ  ＩＥが送信される直前に割り当てることができる。
【００６５】
７０６において、第１のＯＦＤＭ／ＯＦＤＭＡフレームに基づく第１の信号は、第１のフレーム又は後続するＯＦＤＭ／ＯＦＤＭＡフレームであることができる開始ＯＦＤＭ／ＯＦＤＭＡフレームにおいて送信することができる。この第１のＯＦＤＭ／ＯＦＤＭＡフレームは、第１のフレーム又は後続するフレーム内のいずれかにおいて、割り当てられたデータ領域の位置を特定するためのＭＡＰ  ＩＥを含むことができる。モバイルＷｉＭＡＸ規格（ＩＥＥＥ８０２．１６ｅ）に準拠するＭＡＰ  ＩＥと同様に構造化され、このＭＡＰ  ＩＥは、上述されるように、スティッキー領域の割り当てをトリガするために機能することができる。
【００６６】
７０８において、第２のＯＦＤＭ／ＯＦＤＭＡフレームに基づく第２の信号を送信することができる。この第２のＯＦＤＭ／ＯＦＤＭＡフレームは、割り当てられたデータ領域の位置を特定するためのＭＡＰ  ＩＥを含む必要がない。これは、受信デバイス、例えば移動局６００、が、７０６において送信された前のＭＡＰ  ＩＥからの位置情報及びＤＳＡ−ＲＥＱからの割り当てられたデータ領域のためのフレーム間隔に基づくスティッキー領域に関する受信デバイスの知識に従って割り当てられたデータ領域の位置を特定することができる可能性が非常に高いためである。例えば、基地局１０４は、第１及び第２の信号を送信することができる。
【００６７】
基地局１０４は、すべてのフレームにおいて又はスティッキー領域が現れるすべてのフレームにおいてＭＡＰ  ＩＥを送信する必要はなく、むしろ、基地局は、スティッキー領域が修正又は終了されるときのみにＭＡＰ  ＩＥを送信することができる。例えば、スティッキー領域の位置、帯域幅、及び／又は変調を修正するために、基地局は、７１０において割り当てられたスティッキー領域を更新すること及び７１２において新しい情報を有する新しいＭＡＰ  ＩＥを送信することができる。７１２における任意選択肢として、スティッキー領域は、基地局がＯＦＤＭ／ＯＦＤＭＡシンボルの数のためのフィールドに関してゼロの値を有する新しいＭＡＰ  ＩＥを送信するときに終了させることができる。従って、スティッキー領域の割り当ては、常に変化するトラフィック状態に依存して動的に開始すること及び柔軟に調整することができる。
【００６８】
従来においては、ＯＦＤＭ／ＯＦＤＭＡフレームにおける各データバーストは、同じフレーム内に又は先行フレーム内に所在する対応するＭＡＰ  ＩＥを有する。対応するデータバーストの位置を特定するための１つ以上のＭＡＰ  ＩＥを有さないＯＦＤＭ／ＯＦＤＭＡフレームに基づく信号を送信することができるという利点は、ＤＬ−ＭＡＰ４１４及び／又はＵＬ−ＭＡＰ４１６の大きさが小さくなることである。制御オーバーヘッドが低減されたときに、データスループットを向上させることができる。ＤＬ−ＭＡＰ又はＵＬ−ＭＡＰは、上述されるように最低の符号化レートで送信することができるため、ＤＬ−ＭＡＰ又はＵＬ−ＭＡＰの大きさのわずかな縮小でさえも、データトラフィックのための利用可能なリソースに対して有意な影響を有することができる。
【００６９】
上述される図７の動作７００は、図７Ａに示される手段及び機能（means-plus-function）のブロック７００Ａに対応する様々なハードウェア及び／又はソフトウェアコンポーネント及び／又はモジュールによって行うことができる。換言すると、図７に示されるブロック７０２乃至７１２は、図７Ａに示される手段及び機能のブロック７０２Ａ乃至７１２Ａに対応する。
【００７０】
スティッキー領域の割り当てを用いる典型的な信号受信  
図８は、例えば、移動局の観点からのスティッキー領域の割り当てを用いるＯＦＤＭ又はＯＦＤＭＡフレームに基づく信号を受信するための動作例８００のフローチャートである。動作８００は、スティッキー領域の割り当てをサポート及び利用する接続のみに関係し、それは、移動局６００及び基地局１０４の両方が基本的能力の交渉中にスティッキー領域の割り当て能力をサポートする及び用いることに同意することを意味する。ここにおいて用いられる場合において、“割り当てられたデータ領域の位置を特定する”は、ＤＬサブフレーム４０２内においてＤＬデータバーストの位置を見つけること又はＵＬサブフレーム４０４内においてＵＬデータバーストを配置することのいずれかを意味することができる。さらに、動作８００は、明確化のために単一のスティッキー領域のみに関係するが、異なるＯＦＤＭ／ＯＦＤＭＡフレーム位置を用いて複数のスティッキー領域を割り当てることができる。
【００７１】
動作８００は、８０１において、スティッキー領域の割り当てのための能力がＮＥ手順の基本的能力の交渉中に基地局１０４によってサポートされるかどうかを決定することによって開始することができる。８０１においてスティッキー能力を交渉後は、基地局１０４と移動局６００との間で８０２においてスティッキーイネーブルド接続６０４を確立することができる。幾つかの実施形態に関して、接続を確立することは、動的なサービスフローの追加又は修正を含むことができ、それは、要求を送信すること又は受信された要求への応答を送信することを備えることができる。
【００７２】
８０４において、受信デバイス、例えば移動局６００、は、確立された接続のための割り当てられたデータ領域に同意する又は確立された接続のための割り当てられたデータ領域を要求することができる。このスティッキーデータ領域は、上述されるように、接続６０４が確立されたときにシグナリングメッセージ及び分類器情報からのトラフィックの特徴（例えば、ＱｏＳ）に基づいて割り当てることができる。ＤＬ又はＵＬデータトラフィックのために提供された場合は、スティッキー領域は、接続の確立中又は確立後に割り当てることができる。
【００７３】
８０６において、第１のＯＦＤＭ／ＯＦＤＭＡフレームに基づく第１の信号を受信することができる。８０８において、割り当てられたデータ領域、例えばＤＬ又はＵＬデータバースト、は、第１のＭＡＰ  ＩＥにより第１のＯＦＤＭ／ＯＦＤＭＡフレームにおいて位置を特定することができる。第１のＭＡＰ  ＩＥは、第１のＯＦＤＭＡフレームから又は前に受信されたＯＦＤＭ／ＯＦＤＭＡフレームから復号しておくことができる。この第１のＭＡＰ  ＩＥは、上述されるように、スティッキー領域の割り当てをトリガするために機能することができ及びモバイルＷｉＭＡＸ規格（ＩＥＥＥ８０２．１６ｅ）に準拠する典型的なＭＡＰ  ＩＥから逸脱しなくともよい。
【００７４】
８１０において第２のＯＦＤＭＡフレームに基づく第２の信号を受信することができる。８１２において、割り当てられたデータ領域は、第２のＭＡＰ  ＩＥを用いずに第２のＯＦＤＭＡフレームにおいて位置を特定することができる。換言すると、割り当てられたデータ領域は、スティッキー領域ＭＡＰ  ＩＥであったことができる第２のＭＡＰ  ＩＥに基づいて位置を特定することができる。従来においては、移動局は、第２のＯＦＤＭＡフレームにおいてデータ領域の位置を特定するための第２のＭＡＰ  ＩＥが必要であった。
【００７５】
任意選択で、８１４において第３のＯＦＤＭ／ＯＦＤＭＡフレームに基づく第３の信号を受信することができる。８１６において、更新された割り当てられたデータ領域は、第３のＭＡＰ  ＩＥにより第３のフレームにおいて位置を特定することができ、第３のＭＡＰ  ＩＥは、第３のフレームにおいて又は前に受信されたフレームにおいて位置を特定することができる。例えば、更新されたデータ領域は、前に割り当てられたデータ領域から位置、継続時間、帯域幅、及び／又は変調の点で更新することができる。８１６における任意選択肢として、第３のＭＡＰ  ＩＥは、少なくとも他のスティッキー領域が割り当てられるまで、現在の割り当てられたデータ領域のためのスティッキー領域の割り当てを終了させることを指示することができる。
【００７６】
上述される図８の動作８００は、図８Ａに示される手段及び機能のブロック８００Ａに対応する様々なハードウェア及び／又はソフトウェアコンポーネント及び／又はモジュールによって実行することができる。換言すると、図８に示されるブロック８０２乃至８１６は、図８Ａに示される手段及び機能のブロック８０２Ａ乃至８１６Ａに対応する。
【００７７】
スティッキー領域の割り当てのための典型的なネットワークエントリ 
図９Ａは、本開示の幾つかの態様による、スティッキー領域の割り当てのための規定（provision）を有するネットワークエントリ（ＮＥ）手順例９００を示す。ＮＥ手順９００は、移動局（ＭＳ）６００と基地局（ＢＳ）１０４との間におけるスティッキーイネーブルド転送接続を確立する前に実行することができる。９０２において、移動局６００は、例えば、プリアンブル４０８のパイロット信号を用いることによって基地局１０４と同期化することができる。９０４において、移動局６００は、ＤＬ及びＵＬパラメータを得ることができる。例えば、移動局は、基地局１０４によってブロードキャストされたＤＬ−ＭＡＰ、ＵＬ−ＭＡＰ、ダウンリンクチャネル記述子（ＤＣＤ）、及びアップリンクチャネル記述子（ＵＣＤ）メッセージを受信することができる。
【００７８】
９０６において、初期の測距を行うことができる。例えば、移動局は、測距要求メッセージ（ＲＮＧ−ＲＥＱ）９０８を送信することができる。基地局は、ＲＮＧ−ＲＥＱ９０８を受信すること及び測距応答メッセージ（ＲＮＧ−ＲＳＰ）９１０を用いて応答することができる。無線チャネル３３４の測定は、９０６における初期測距中に行うことができる。
【００７９】
９１２において、基本的能力を交渉することができる。例えば、移動局は、加入者局基本的能力要求メッセージ（ＳＢＣ−ＲＥＱ）９１４を送信することができる。幾つかの実施形態に関して、移動局のための及び基地局のための基本的能力のリストにスティッキー領域の割り当てのための能力を加えることができる。基地局は、ＳＢＣ−ＲＥＱ９１４を受信すること及び加入者局基本的能力応答メッセージ（ＳＢＣ−ＲＳＰ）９１６を用いて応答することができる。このようにして、移動局は、それがスティッキー領域の割り当てをサポートすることをアドバタイズ（advertise）することができ及び基地局がスティッキー領域の割り当てをサポートするかどうかについての知らせを受けることもできる。しかしながら、両方の通信デバイスがスティッキー領域の割り当てをサポートする場合でも、これは、スティッキー領域の割り当てが自動的に用いられるということは必ずしも意味しない。９１２における基本的能力の交渉に引き続き、移動局は、９１８において基地局に登録することができる。
【００８０】
９２０において、接続６０４が確立されている最中に又は確立された後に１つ以上のサービスフロー６０６への追加又は修正を行うことができる。例えば、移動局は、動的サービス追加要求メッセージ（ＤＳＡ−ＲＥＱ）９２２を送信することができる。幾つかの実施形態に関して、ＤＳＡ−ＲＥＱ９２２は、移動局がこの特定の接続６０４のためにスティッキー領域の割り当てを用いることを希望するかどうかを示すことができる。基地局は、ＤＳＡ−ＲＥＱ９２２を受信すること及び動的サービス追加応答要求（ＤＳＡ−ＲＳＰ）９２４を用いて応答することができる。このようにして、移動局は、接続のためのスティッキー領域の割り当ての使用を要求することができ及び基地局が同意するかどうかについての知らせを受けることができる。基地局は、基地局が該割り当て能力をサポートすることができる場合でもスティッキー領域の割り当て要求を拒否することができる。例えば、基地局は、トラフィック状態に基づいてスティッキー領域の割り当てを採用する要求を拒否することができる。
【００８１】
その他の実施形態に関して、移動局ではなく基地局は、基地局が接続のためにスティッキー領域の割り当てを用いることを希望するかどうかを示すために図９Ｂに示されるようにＤＳＡ−ＲＥＱ９２２を送信することができる。該事例においては、移動局は、ＤＳＡ−ＲＥＱ９２２を受信すること及び移動局が要求に同意しているか又は拒否しているかを基地局に知らせるためにＤＳＡ−ＲＳＰ９２４を用いて応答することができる。
【００８２】
従って、特定の接続及びサービスフローのためのスティッキー領域の割り当て要求が存在しない場合は、スティッキー領域の割り当ては利用することができない。従って、幾つかの態様に関して、スティッキー領域の割り当て及び利用は、移動局６００及び基地局１０４の両方がスティッキー領域の割り当てをサポートし及び用いることに同意する場合にしか行うことができない。
【００８３】
実際のスティッキー領域の割り当ては、ＭＡＰ  ＩＥを送信することによってトリガすることができ（及び修正することができる）。スティッキー領域の割り当てを開始するために、基地局１０４は、割り当てられたスティッキー領域の位置を特定すべき場所を移動局６００に知らせるためにスティッキーイネーブルド接続において第１のＭＡＰ  ＩＥを送信することができる。スティッキー領域は、そのスティッキー領域が修正又は終了されるまで確立されたフレーム間隔で後続するＯＦＤＭ／ＯＦＤＭＡフレーム内に永続する(persist)ことができる。このようにして、移動局は、追加のＭＡＰ  ＩＥなしでスティッキー領域によりデータトラフィックを受信又は送信することができる。スティッキー領域の割り当ては、基地局が割り当てられたスティッキー領域の位置、継続時間、帯域幅、及び／又は変調の更新を示す新しいＭＡＰ  ＩＥを送信したときに動的に修正することができる。さらに、基地局は、例えばＯＦＤＭ／ＯＦＤＭＡシンボルの数のためのフィールドにおいてゼロの値を有する新しいＭＡＰ  ＩＥを送信することによってスティッキー領域の割り当てを終了させることができる。
【００８４】
ここにおいて用いられる場合において、用語“決定する”は、非常に様々な動作を包含する。例えば、“決定する”は、計算することと、演算することと、処理することと、導出することと、調査することと、検索する（例えば、テーブル、データベース又は他のデータ構造において検索する）ことと、確認することと、等を含むことができる。さらに、“決定する”は、受信する（例えば、情報を受信する）ことと、アクセスする（例えば、メモリ内のデータにアクセスする）ことと、等を含むことができる。さらに、“決定する”は、解決することと、選抜することと、選択することと、確立することと、等を含むことができる。
【００８５】
情報及び信号は、様々な異なる技術及び技法のうちのいずれかを用いて表すことができる。例えば、上記の説明全体を通じて参照されることがあるデータ、命令、コマンド、情報、信号、等は、電圧、電流、電磁波、磁場、磁気粒子、光学場、光学粒子、又はそのあらゆる組合せによって表すことができる。
【００８６】
本開示と関係して説明される様々な例示的な論理ブロック、モジュール及び回路は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ信号（ＦＰＧＡ）、その他のプログラマブル論理デバイス（ＰＬＤ）、ディスクリートゲートロジック、ディスクリートトランジスタロジック、個別のハードウェアコンポーネント、又はそのあらゆる組合せ、を用いて実装すること又は実行することができる。汎用プロセッサはマイクロプロセッサであることができるが、代替においては、市販のどのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成として実装することもできる。
【００８７】
本開示と関係させて説明される方法又はアルゴリズムのステップは、直接ハードウェア内において、１つ以上のプロセッサによって実行されるソフトウェアモジュール内において、又はこれらの２つの組合せにおいて具現化させることができる。ソフトウェアモジュールは、当業において既知であるあらゆる形態の記憶媒体において常駐する（例えば、格納する、符号化する、等）ことができる。使用することができる記憶媒体の幾つかの例は、ランダムアクセスメモリ（ＲＡＭ）と、読み取り専用メモリ（ＲＯＭ）と、フラッシュメモリと、ＥＰＲＯＭメモリと、ＥＥＰＲＯＭメモリと、レジスタと、ハードディスクと、取り外し可能なディスクと、ＣＤ−ＲＯＭと、等を含む。ソフトウェアモジュールは、単一の命令、又は数多くの命令を備えることができ、及び幾つかの異なる符号セグメントにわたって、異なるプログラム間で、及び複数の記憶媒体にわたって分散させることができる。記憶媒体は、プロセッサに結合することができ、従って、プロセッサは、記憶媒体から情報を読み出すこと及び記憶媒体に情報を書き込むことができる。代替においては、記憶媒体は、プロセッサと一体化させることができる。
【００８８】
ここにおいて開示される方法は、説明される方法を達成させるための１つ以上のステップ又は動作を備える。方法のステップ及び／又は動作は、請求項の適用範囲を逸脱することなしに互換することができる。換言すると、ステップ又は動作の特定の順序が指定されないかぎり、特定のステップ及び／又は動作の順序及び／又は使用は、請求項の適用範囲を逸脱することなしに変更することができる。
【００８９】
説明される機能は、ハードウェア、ソフトウェア、ファームウェア、又はその組み合わせにおいて実装することができる。ソフトウェアにおいて実装される場合は、これらの機能は、コンピュータによって読み取り可能な媒体又は記憶媒体に命令として又は１つ以上の組の命令として格納することができる。記憶媒体は、コンピュータによって又は１つ以上の処理デバイスによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスクス記憶装置、磁気ディスク記憶装置又はその他の磁気記憶装置、又はコンピュータによってアクセス可能な命令又はデータ構造の形態で希望されるプログラムコードを搬送又は格納するために用いることができるその他の媒体、を備えることができる。ここにおいて用いられる場合におけるディスク（ｄｉｓｋ及びｄｉｓｃ）は、コンパクトディスク（ＣＤ）（ｄｉｓｃ）と、レーザーディスク（登録商標）（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、Ｂｌｕ−ｒａｙ（登録商標）ディスク（ｄｉｓｃ）と、を含み、ここで、ｄｉｓｋは通常は磁気的にデータを複製し、ｄｉｓｃはレーザを用いて光学的にデータを複製する。
【００９０】
ソフトウェア又は命令は、送信媒体を通じて送信することもできる。例えば、ソフトウェアが、同軸ケーブル、光ファイバケーブル、より対線、デジタル加入者ライン（ＤＳＬ）、又は無線技術、例えば、赤外線、無線、及びマイクロ波、を用いてウェブサイト、サーバ、又はその他の遠隔ソースから送信される場合は、該同軸ケーブル、光ファイバケーブル、より対線、ＤＳＬ、又は無線技術、例えば赤外線、無線、及びマイクロ波、は、送信媒体の定義の中に含まれる。
【００９１】
さらに、ここにおいて説明される方法及び技法を実行するためのモジュール及び／又はその他の該当する手段は、適宜ユーザ端末及び／又は基地局によってダウンロードすること及び／又はその他の方法で入手することができることが理解されるべきである。例えば、該デバイスは、ここにおいて説明される方法を実行するための手段の転送を容易にするためにサーバに結合することができる。代替として、ここにおいて説明される様々な方法は、記憶手段（例えば、ＲＡＭ、ＲＯＭ、物理的記憶媒体、例えばコンパクトディスク（ＣＤ）又はフロッピーディスク、等）を介して提供することができ、このため、ユーザ端末及び／又は基地局は、結合した時点で又は記憶手段をデバイスに提供した時点で様々な方法を入手することができる。さらに、ここにおいて説明される方法及び技法をデバイスに提供するためのその他の適切な技法を利用することができる。
【００９２】
請求項は、上述される正確な構成及びコンポーネントに限定されないことが理解されるべきである。請求項の範囲を逸脱することなしに上述される方法及び装置の配置、動作及び詳細に対して様々な修正、変更及び変形を行うことができる。
【図１】
2011524695.tif 000003
【図２】
2011524695.tif 000004
【図３】
2011524695.tif 000005
【図４Ａ】
2011524695.tif 000006
【図４Ｂ】
2011524695.tif 000007
【図５】
2011524695.tif 000008
【図６】
2011524695.tif 000009
【図７】
2011524695.tif 000010
【図７Ａ】
2011524695.tif 000011
【図８】
2011524695.tif 000012
【図８Ａ】
2011524695.tif 000013
【図９Ａ】
2011524695.tif 000014
【図９Ｂ】
2011524695.tif 000015
【国際調査報告】
2011524695.tif 000016
2011524695.tif 000017
2011524695.tif 000018